(57)【特許請求の範囲】
【請求項１】
出力ポートおよび複数の入力ポートを有する複数の波長選択スイッチと、前記複数の波長選択スイッチの前記出力ポートがそれぞれ接続される入力側の複数のポートを有し、前記複数の波長選択スイッチのそれぞれの前記出力ポートから出力される複数の光信号を合波する光カプラと、を備え、前記光カプラによって合波された光信号をそれぞれネットワークの複数の方路へ送出する複数の光切替装置と、
光信号を出力する複数の送信部と、
前記複数の送信部によって出力された各光信号がそれぞれ入力される複数の入力ポートと、複数の出力ポートと、を備えるクロスコネクトスイッチと、
前記クロスコネクトスイッチの前記複数の出力ポートにそれぞれ接続された入力ポートと、複数の出力ポートと、を有する複数の第１スイッチと、
前記複数の第１スイッチの前記複数の出力ポートにそれぞれ接続された入力ポートと、出力ポートと、を有する複数の第２スイッチと、
前記複数の第２スイッチの前記出力ポートから出力される各光信号を多重化し、多重化した光信号を前記複数の光切替装置の前記入力ポートへ入力する複数の多重化部と、
を備えることを特徴とする光挿入装置。
【請求項２】
前記複数の光信号に含まれる波長をそれぞれモニタする波長モニタと、
前記波長モニタによるモニタ結果に基づいて、前記複数の光信号のうちの同一の波長を含む各光信号を検出する検出部と、
前記検出部による検出結果を出力する出力部と、
を備えることを特徴とする請求項１に記載の光挿入装置。
【請求項３】
前記検出部によって前記各光信号が検出された場合に、前記複数の波長選択スイッチのうちの前記各光信号を出力した各波長選択スイッチのいずれかに対して前記同一の波長の光信号の出力を停止させる制御部を備えることを特徴とする請求項２に記載の光挿入装置。
【請求項４】
前記複数の波長選択スイッチのそれぞれの優先度を記憶する記憶部を備え、
前記制御部は、前記各波長選択スイッチのうちの、前記記憶部によって記憶された優先度がより低い波長選択スイッチに対して前記同一の波長の光信号の出力を停止させることを特徴とする請求項３に記載の光挿入装置。
【請求項５】
前記光カプラは、前記複数の波長選択スイッチより多い前記複数のポートを有することを特徴とする請求項１〜４のいずれか一つに記載の光挿入装置。
【請求項６】
入力ポートおよび複数の出力ポートを有する複数の波長選択スイッチと、前記複数の波長選択スイッチの前記入力ポートがそれぞれ接続される出力側の複数のポートを有し、光信号を分岐し、分岐した複数の前記光信号を前記複数の波長選択スイッチのそれぞれの前記入力ポートへ入力するする光カプラと、を備え、ネットワークの複数の方路からの光信号がそれぞれ前記光カプラへ入力される複数の光切替装置と、
光信号を受信する複数の受信部と、
前記複数の光切替装置から出力される各光信号をそれぞれ多重分離する複数の多重分離部と、
前記複数の多重分離部によって多重分離された各光信号がそれぞれ入力される入力ポートと、複数の出力ポートと、を有する複数の第１スイッチと、
前記複数の第１スイッチの前記複数の出力ポートにそれぞれに接続された複数の入力ポートと、出力ポートと、を有する複数の第２スイッチと、
前記複数の第２スイッチの前記出力ポートに接続された複数の入力ポートと、前記複数の受信部へ光信号を出力する複数の出力ポートと、を備えるクロスコネクトスイッチと、
を含むことを特徴とする光分岐装置。
【発明の詳細な説明】
【技術分野】
【０００１】
本発明は、光切替装置、光挿入装置および光分岐装置に関する。
【背景技術】
【０００２】
従来、光通信においては、ＷＤＭ（Ｗａｖｅｌｅｎｇｔｈ  Ｄｉｖｉｓｉｏｎ  Ｍｕｌｔｉｐｌｅｘｉｎｇ：波長分割多重）された光信号を伝送するＷＤＭネットワークが用いられている（たとえば、下記特許文献１〜３参照。）。ＷＤＭネットワークにおいては、光信号を波長ごとに挿入分岐するＯＡＤＭ（Ｏｐｔｉｃａｌ  Ａｄｄ  Ｄｒｏｐ  Ｍｕｌｔｉｐｌｅｘｅｒ）やＲ−ＯＡＤＭ（Ｒｅｃｏｎｆｉｇｕｒａｂｌｅ−ＯＡＤＭ）などの光挿入分岐装置が用いられる。光挿入分岐装置においては、チャネルごとの各光信号の経路を切り替える波長選択スイッチが用いられる。
【０００３】
光挿入分岐装置には、ＷＤＭネットワークを効率よく、フレキシブルに構築、変更、管理するための機能が求められる。たとえば、光挿入分岐装置には、ノード内での波長依存性（Ｃｏｌｏｒｅｄ）、方向依存性（Ｄｉｒｅｃｔｉｏｎａｌ）、同一波長の衝突（Ｃｏｎｔｅｎｔｉｏｎ）の制限を回避する機能が求められる。このような制限を回避する機能はＣＤＣ（Ｃｏｌｏｒｌｅｓｓ，Ｄｉｒｅｃｔｉｏｎｌｅｓｓ，Ｃｏｎｔｅｎｔｉｏｎｌｅｓｓ）機能と呼ばれる。
【０００４】
Ｃｏｌｏｒｌｅｓｓは、光挿入分岐装置の任意のポートに任意の波長を入力でき、任意のポートから任意の波長を出力できる機能を意味する。Ｄｉｒｅｃｔｉｏｎｌｅｓｓは、光挿入分岐装置が複数の方路（ＷＤＭ方路）を有する構成において、各端局からの光信号を任意の方路に導くことができ、各方路からの光信号を任意の端局に導くことができる機能を意味する。Ｃｏｎｔｅｎｔｉｏｎｌｅｓｓは、光挿入分岐装置内で同一波長の光信号の衝突を回避する機能を意味する。
【０００５】
また、ＣＤＣ機能を満たす構成において、以下の点を満たすことがより望ましい。
【０００６】
全てのクライアント側信号とネットワーク側の全ての任意の方路の各波長間で、かつ任意の波長で方路切替が可能であること（１００％挿入分岐可能）。
【０００７】
初期運用状態から１００％挿入分岐状態まで、クライアント側信号、ネットワーク側の方路数を、できるだけ最小な、ある特定の単位で増設していくことが可能であること（初期コストの低減、最適コストの実現）。
【０００８】
クライアント側信号やネットワーク側方路の増設の際に、既存の信号に影響を与えないこと（Ｉｎ−ｓｅｒｖｉｃｅ  ｕｐｇｒａｄｅ）。
【０００９】
クライアント側信号とネットワーク側の方路の間の挿入分岐部においては、光アンプなどの光増幅機能を持ったデバイスを極力使用せずに構築するために、光損失を極力抑えた構成にすること。
【００１０】
ＷＳＳ（Ｗａｖｅｌｅｎｇｔｈ  Ｓｅｌｅｃｔｉｖｅ  Ｓｗｉｔｃｈ）、ＯＸＣ（Ｏｐｔｉｃａｌ  ｃｒｏｓｓ  Ｃｏｎｎｅｃｔ）などの光デバイスは光ポートの数に制限があるため、ポート数と光デバイスの数、光損失などのバランスを考慮した構成にすること。
【先行技術文献】
【特許文献】
【００１１】
【特許文献１】特開２００６−８７０６２号公報
【特許文献２】特表２００８−５０３９２１号公報
【特許文献３】特開２０１０−９８５４５号公報
【発明の概要】
【発明が解決しようとする課題】
【００１２】
しかしながら、上述した従来技術では、ポート数が多い波長選択スイッチを実現することが技術的に困難であるという問題がある。このため、たとえばＣＤＣ機能を実現可能な構成など、各チャネルの光信号の切替先が多い構成を実現することが困難であった。
【００１３】
開示の光切替装置、光挿入装置および光分岐装置は、上述した問題点を解消するものであり、ポート数が多い波長選択スイッチを提供することを目的とする。
【課題を解決するための手段】
【００１４】
上述した課題を解決し、目的を達成するため、開示技術は、第１ポートおよび複数の第２ポートを有する複数の波長選択スイッチと、前記複数の波長選択スイッチの前記第１ポートがそれぞれ接続される入力側または出力側の複数の第３ポートを有する光カプラと、を備える。
【発明の効果】
【００１５】
開示の光切替装置、光挿入装置および光分岐装置によれば、ポート数が多い波長選択スイッチを提供することができるという効果を奏する。
【図面の簡単な説明】
【００１６】
【図１−１】実施の形態にかかる光切替装置の一例を示す図である。
【図１−２】図１−１に示した光切替装置の変形例を示す図である。
【図２】実施の形態にかかる光切替装置の他の例を示す図である。
【図３】ＣＰＵによる排他制御の一例を示すフローチャートである。
【図４】図１−１，図１−２に示した光切替装置を適用した光挿入分岐装置の例１を示す図である。
【図５】図２に示した光切替装置を適用した光挿入分岐装置の例１を示す図である。
【図６】図４に示した光挿入分岐装置の初期運用状態の例を示す図である。
【図７】図５に示した光挿入分岐装置の初期運用状態の例を示す図である。
【図８】図４に示した光挿入分岐装置の変形例を示す図である。
【図９】図５に示した光挿入分岐装置の変形例を示す図である。
【図１０】図１−１，図１−２に示した光切替装置を適用した光挿入分岐装置の例２を示す図である。
【図１１】図２に示した光切替装置を適用した光挿入分岐装置の例２を示す図である。
【図１２】図１０に示した光挿入分岐装置の変形例１を示す図である。
【図１３】図１１に示した光挿入分岐装置の変形例１を示す図である。
【図１４】図１０に示した光挿入分岐装置の変形例２を示す図である。
【図１５】図１１に示した光挿入分岐装置の変形例２を示す図である。
【図１６】図１０に示した光挿入分岐装置の初期運用状態の例を示す図である。
【図１７】図１１に示した光挿入分岐装置の初期運用状態の例を示す図である。
【図１８】図１−１，図１−２に示した光切替装置を適用した光挿入分岐装置の例３を示す図である。
【図１９】図２に示した光切替装置を適用した光挿入分岐装置の例３を示す図である。
【図２０】図１８に示した光挿入分岐装置の変形例１を示す図である。
【図２１】図１９に示した光挿入分岐装置の変形例１を示す図である。
【図２２】図１８に示した光挿入分岐装置の変形例２を示す図である。
【図２３】図１９に示した光挿入分岐装置の変形例２を示す図である。
【図２４】図１−１，図１−２に示した光切替装置を適用した光挿入分岐装置の例４を示す図である。
【図２５】図２に示した光切替装置を適用した光挿入分岐装置の例４を示す図である。
【図２６】図１−１，図１−２に示した光切替装置を適用した光挿入分岐装置の例５を示す図である。
【図２７】図２に示した光切替装置を適用した光挿入分岐装置の例５を示す図である。
【発明を実施するための形態】
【００１７】
以下に添付図面を参照して、開示技術の好適な実施の形態を詳細に説明する。
【００１８】
（実施の形態）
図１−１は、実施の形態にかかる光切替装置の一例を示す図である。図１−１に示すように、実施の形態にかかる光切替装置１００は、複数（Ｍ個）の波長選択スイッチ１１１〜１１Ｍ（ＷＳＳ：Ｗａｖｅｌｅｎｇｔｈ  Ｓｅｌｅｃｔｉｖｅ  Ｓｗｉｔｃｈ）と、光カプラ１２０（ＣＰＬ）と、を備えている。波長選択スイッチ１１１〜１１Ｍのそれぞれは、出力ポート（第１ポート）および複数の入力ポート（第２ポート）を有する。波長選択スイッチ１１１〜１１Ｍのそれぞれへ入力される各光信号は、複数の波長が多重化されたＷＤＭ信号でもよいし、１波長のみを含む信号でもよい。
【００１９】
光カプラ１２０は、複数の入力ポート（入力側の複数の第３ポート）を有する。光カプラ１２０の複数の入力ポートには、波長選択スイッチ１１１〜１１Ｍのそれぞれの出力ポートが接続される。光カプラ１２０は、波長選択スイッチ１１１〜１１Ｍのそれぞれの出力ポートから出力される複数の光信号を合波して出力する。
【００２０】
光切替装置１００のように、波長選択スイッチ１１１〜１１Ｍのそれぞれの出力ポート（第１ポート）に光カプラ１２０の複数の入力ポート（第３ポート）を接続することで、入力ポート数の多い波長選択スイッチを容易に実現することができる。
【００２１】
また、光カプラ１２０は、波長選択スイッチ１１１〜１１Ｍの数（Ｍ）より多い入力ポートを有していてもよい。これにより、光カプラ１２０に新たな波長選択スイッチを接続することで光切替装置１００の入力ポートを容易に増設することができる。また、たとえば、初期運用状態においては波長選択スイッチ１１１〜１１Ｍの数を少なくすることで、初期費用を抑えることができる。
【００２２】
また、光カプラ１２０に対して新たな波長選択スイッチを接続することで、インサービス中であっても入力ポートを増設することができる。したがって、たとえば波長選択スイッチを入力ポート数の多いものに交換して増設する場合とは異なり、サービスを中断しなくても入力ポートを増設することが可能になる。
【００２３】
光切替装置１００は、たとえば、光信号を波長単位で挿入する光挿入装置に適用することができる。光切替装置１００を適用した光挿入装置は、光切替装置１００の光カプラ１２０によって合波された光信号をネットワークの所定の方路へ送出する。また、光切替装置１００を適用した光挿入装置には、複数の送信部によって送信された各光信号と、所定の方路とは異なる方路からの光信号と、をそれぞれ波長選択スイッチ１１１〜１１Ｍの各入力ポートへ入力する光経路が設けられる。
【００２４】
図１−２は、図１−１に示した光切替装置の変形例を示す図である。図１−２において、図１−１に示した部分と同様の部分については同一の符号を付して説明を省略する。図１−２に示すように、光切替装置１００は、図１−１に示した構成に加えて、分岐部１３１〜１３Ｍと、モニタ部１４１〜１４Ｍと、ＣＰＵ１５０と、を備えていてもよい。
【００２５】
分岐部１３１は、波長選択スイッチ１１１から光カプラ１２０へ出力される光信号を分岐してモニタ部１４１へ出力する。同様に、分岐部１３２〜１３Ｍは、それぞれ波長選択スイッチ１１２〜１１Ｍから光カプラ１２０へ出力される光信号を分岐してそれぞれモニタ部１４２〜１４Ｍへ出力する。分岐部１３１〜１３Ｍは、たとえば光カプラによって実現することができる。
【００２６】
モニタ部１４１〜１４Ｍは、波長選択スイッチ１１１〜１１Ｍから光カプラ１２０へ出力される複数の光信号に含まれる波長をそれぞれモニタする波長モニタである。具体的には、モニタ部１４１〜１４Ｍは、それぞれ分岐部１３１〜１３Ｍから出力される光信号に含まれる波長をモニタする。モニタ部１４１〜１４Ｍは、モニタ結果を出力波長情報としてＣＰＵ１５０へ出力する。モニタ部１４１〜１４Ｍは、たとえばＯＣＭ（Ｏｐｔｉｃａｌ  Ｃｈａｎｎｅｌ  Ｍｏｎｉｔｏｒ）によって実現することができる。
【００２７】
ＣＰＵ１５０（Ｃｅｎｔｒａｌ  Ｐｒｏｃｅｓｓｉｎｇ  Ｕｎｉｔ）は、モニタ部１４１〜１４Ｍから出力される出力波長情報に基づいて、波長選択スイッチ１１１〜１１Ｍから光カプラ１２０へ出力される複数の光信号のうちの同一の波長を含む各光信号を検出する検出部として動作する。
【００２８】
また、ＣＰＵ１５０は、同一の波長を含む各光信号の検出結果を出力する出力部として動作する。たとえば、ＣＰＵ１５０は、光切替装置１００において同一波長の各光信号が衝突したことを示す波長衝突メッセージをＮＭＳ（Ｎｅｔｗｏｒｋ  Ｍａｎａｇｅｍｅｎｔ  Ｓｙｓｔｅｍ）へ送信する。具体的には、ＣＰＵ１５０は、通信インターフェース（不図示）を介して波長衝突メッセージをＮＭＳへ送信する。これにより、送出元の設定ミスや、途中の経路のデバイスの故障、あるいは送信器の信号の波長ズレなどによって、光カプラ１２０に同一波長の各光信号が入力された場合に、波長衝突メッセージをＮＭＳへ送信することができる。
【００２９】
また、ＣＰＵ１５０は、同一波長の各光信号が検出された場合に、波長選択スイッチ１１１〜１１Ｍのうちの同一波長の各光信号を出力した各波長選択スイッチのいずれかに対して同一の波長の光信号の出力を停止させる制御部として動作してもよい。具体的には、ＣＰＵ１５０は、各波長選択スイッチのいずれかに対してブロック信号を出力することで光信号の出力を停止させる。ブロック信号には、出力を停止すべき波長の情報が含まれる。波長選択スイッチ１１１〜１１Ｍのそれぞれは、ＣＰＵ１５０からブロック信号が出力されると、出力されたブロック信号に含まれる波長の光信号の出力を停止する。
【００３０】
これにより、光切替装置１００において同一波長の各光信号が衝突した場合に、衝突した各光信号のいずれかを自動的にブロックすることができる。このため、同一波長の各光信号がＷＤＭ信号として光切替装置１００から出力され、同一波長の各光信号のいずれの受信先においても受信不可となることを回避することができる。
【００３１】
また、光切替装置１００は、さらにメモリ１６０を備えていてもよい。メモリ１６０は、たとえば、波長選択スイッチ１１１〜１１Ｍのそれぞれの優先度を記憶する記憶部である。波長選択スイッチ１１１〜１１Ｍのそれぞれの優先度は、波長選択スイッチ１１１〜１１Ｍが収容する回線の重要度などによってあらかじめ設定される。
【００３２】
ＣＰＵ１５０は、同一波長の各光信号を出力した各波長選択スイッチのうちの、メモリ１６０によって記憶された優先度がより低い波長選択スイッチに対して同一の波長の光信号の出力を停止させる。これにより、光切替装置１００において同一波長の各光信号が衝突した場合に、衝突した各光信号のうちの優先度の低い波長選択スイッチから出力された光信号を自動的にブロックすることができる。このため、衝突した各光信号のうちの優先度の高い波長選択スイッチから出力された光信号を正常に伝送することができる。
【００３３】
または、メモリ１６０には、波長選択スイッチ１１１〜１１Ｍへ入力される各光信号の優先度が記憶されていてもよい。各光信号の優先度は、たとえば、各光信号の内容によってあらかじめ設定される。たとえば、光信号の内容が専用線などである場合は優先度を比較的高く設定する。また、光信号の内容が一般回線や貸出波長などである場合は優先度を比較的低く設定する。
【００３４】
また、各光信号の優先度は、各光信号の信号種に基づいて設定されてもよい。たとえば、光信号の信号種がＳＯＮＥＴ／ＳＤＨ（Ｓｙｎｃｈｒｏｎｏｕｓ  Ｏｐｔｉｃａｌ  Ｎｅｔｗｏｒｋ／Ｓｙｎｃｈｒｏｎｏｕｓ  Ｄｉｇｉｔａｌ  Ｈｉｅｒａｒｃｈｙ）の場合は優先度を比較的高く設定する。また、光信号の信号種がイーサネット（登録商標）の場合は優先度を比較的低く設定する。各光信号の信号種は、あらかじめ信号ごとにメモリ１６０に設定されてもよいし、ＣＰＵ１５０などによって判別してもよい。
【００３５】
また、各光信号の優先度は、たとえば各光信号のビットレートによってあらかじめ設定されてもよい。たとえば、各光信号のビットレートが比較的高い場合は優先度を比較的高く設定する。また、各光信号のビットレートが比較的低い場合は優先度を比較的低く設定する。各光信号のビットレートは、あらかじめ信号ごとにメモリ１６０に設定されてもよいし、ＣＰＵ１５０やモニタ部１４１〜１４Ｍ（ＯＣＭ）によるスペクトル幅の測定などによって判別してもよい。
【００３６】
ＣＰＵ１５０は、同一波長の各光信号を出力した各波長選択スイッチのうちの、メモリ１６０によって記憶された優先度がより低い光信号を出力する波長選択スイッチに対して同一の波長の光信号の出力を停止させる。これにより、光切替装置１００において同一波長の各光信号が衝突した場合に、衝突した各光信号のうちの優先度の低い光信号を自動的にブロックすることができる。このため、衝突した各光信号のうちの優先度の高い光信号を正常に伝送することができる。
【００３７】
図２は、実施の形態にかかる光切替装置の他の例を示す図である。図２に示すように、実施の形態にかかる光切替装置２００は、光カプラ２１０と、複数（Ｍ個）の波長選択スイッチ２２１〜２２Ｍと、を備えている。波長選択スイッチ２２１〜２２Ｍのそれぞれは、入力ポート（第１ポート）および複数の出力ポート（第２ポート）を有する波長選択スイッチである。波長選択スイッチ２２１〜２２Ｍのそれぞれが出力する各光信号は、複数の波長が多重化されたＷＤＭ信号でもよいし、１波長のみを含む信号でもよい。
【００３８】
光カプラ２１０は、波長選択スイッチ２２１〜２２Ｍのそれぞれの入力ポート（第１ポート）が接続される複数の出力ポート（出力側の複数の第３ポート）を有する光カプラである。光カプラ２１０は、入力された光信号を分岐し、分岐した複数の光信号を波長選択スイッチ２２１〜２２Ｍのそれぞれの入力ポートへ入力する。
【００３９】
光切替装置２００のように、波長選択スイッチ２２１〜２２Ｍのそれぞれの入力ポート（第１ポート）に光カプラ２１０の複数の出力ポート（第３ポート）を接続することで、出力ポート数が多い波長選択スイッチを容易に実現することができる。
【００４０】
また、光カプラ２１０は、波長選択スイッチ２２１〜２２Ｍの数（Ｍ）より多い出力ポートを有していてもよい。これにより、光カプラ２１０に新たな波長選択スイッチを接続することで光切替装置２００の出力ポートを容易に増設することができる。また、たとえば、初期運用状態においては波長選択スイッチ２２１〜２２Ｍの数を少なくすることで、初期費用を抑えることができる。
【００４１】
また、光カプラ２１０に対して新たな波長選択スイッチを接続することで、インサービス中であっても出力ポートを増設することができる。したがって、たとえば波長選択スイッチを出力ポート数の多いものに交換して増設する場合とは異なり、サービスを中断しなくても出力ポートを増設することが可能になる。
【００４２】
光切替装置２００は、たとえば、光信号を波長単位で分岐する光分岐装置に適用することができる。光切替装置２００を適用した光分岐装置には、ネットワークの所定の方路からの光信号が光カプラ２１０へ入力される。また、光切替装置２００を適用した光挿入装置には、光カプラ２１０の複数の出力ポートから出力される各光信号を、それぞれ複数の受信部と所定の方路とは異なる方路へと出力する光経路が設けられる。
【００４３】
図１−１および図２に示したように、複数の波長選択スイッチのそれぞれの第１ポートに光カプラの複数の第３ポートを接続することで、ポート数が多い波長選択スイッチを容易に実現することができる。また、複数の波長選択スイッチの数より多い第３ポートを光カプラに設けることによって、光カプラに新たな波長選択スイッチを接続すればポートを容易に増設することができる。
【００４４】
図３は、ＣＰＵによる排他制御の一例を示すフローチャートである。まず、ＣＰＵ１５０は、複数の波長選択スイッチ１１１〜１１Ｍの出力波長情報をモニタ部１４１〜１４Ｍから取得する（ステップＳ３０１）。つぎに、ＣＰＵ１５０は、ステップＳ３０１によって取得された出力波長情報が示す各波長に同一の波長が含まれているか否かを判断する（ステップＳ３０２）。
【００４５】
ステップＳ３０２において、同一の波長が含まれていない場合（ステップＳ３０２：Ｎｏ）は、ＣＰＵ１５０は、ステップＳ３０１へ戻る。同一の波長が含まれている場合（ステップＳ３０２：Ｙｅｓ）は、ＣＰＵ１５０は、波長衝突メッセージをＮＭＳへ送信する（ステップＳ３０３）。つぎに、ＣＰＵ１５０は、同一の波長を含む各出力波長情報に対応する各波長選択スイッチのうちの、優先度の低い波長選択スイッチに対してブロック信号を出力し（ステップＳ３０４）、ステップＳ３０１へ戻る。
【００４６】
図４は、図１−１，図１−２に示した光切替装置を適用した光挿入分岐装置の例１を示す図である。図４に示す光挿入分岐装置４００は、図１−１または図１−２に示した光切替装置１００を適用した光挿入分岐装置の例である。光挿入分岐装置４００は、波長多重光に対する信号の挿入および分岐を行うＯＡＤＭである。ただし、図４においては光挿入分岐装置４００における光信号の挿入を行う構成について図示している。
【００４７】
光挿入分岐装置４００は、ｍ方路（たとえば８方路）へ光信号を出力するとする。また、光挿入分岐装置４００が各方路へ出力する各光信号には、最大でＮ波長（たとえば９６波長）の光信号が波長多重されるとする。ネットワーク側のチャネル数は最大でＮ×ｍ（たとえば９６×８＝７６８）となる。
【００４８】
光挿入分岐装置４００は、ＣＤＣ機能を持つ挿入部を備える。具体的には、光挿入分岐装置４００は、複数個のトランスポンダ１１と、複数個の可変フィルタ１２と、複数個のクロスコネクトスイッチ１３と、複数個のカプラ１４と、ｍ個の波長選択スイッチ１５＃１〜１５＃ｍと、ｍ個の増幅器１６＃１〜１６＃ｍと、を備えている。図１−１または図１−２に示した光切替装置１００は、たとえば波長選択スイッチ１５＃１〜１５＃ｍのそれぞれに適用することができる。
【００４９】
クライアント側のトランスポンダ１１（ＴＲＰＮ：送信部）は、光信号をそれぞれ可変フィルタ１２へ出力する。可変フィルタ１２（ＴＦ：Ｔｕｎａｂｌｅ  Ｆｉｌｔｅｒ）は、それぞれトランスポンダ１１から出力された光信号を狭帯域化する。可変フィルタ１２は、狭帯域化した光信号をそれぞれクロスコネクトスイッチ１３へ出力する。
【００５０】
クロスコネクトスイッチ１３（ＯＸＣ）は、それぞれ可変フィルタ１２から出力された光信号の経路を切り替える。クロスコネクトスイッチ１３は、経路を切り替えた光信号をそれぞれカプラ１４へ出力する。これにより、クライアント側からの各光信号がｍ方路に振り分けられる。また、クロスコネクトスイッチ１３のそれぞれにマルチキャスト機能を設け、複数の光信号を合波して振り分けることを可能にしてもよい。
【００５１】
カプラ１４（ＣＰＬ）のそれぞれは、クロスコネクトスイッチ１３から出力されたｎ個の光信号を合波するｎ：１のカプラである。カプラ１４は、合波した光信号をそれぞれ波長選択スイッチ１５＃１〜１５＃ｍへ出力する。これにより、クロスコネクトスイッチ１３によって振り分けられた各光信号が最大Ｎ波のＷＤＭ信号として合波され、それぞれ波長選択スイッチ１５＃１〜１５＃ｍへ入力される。
【００５２】
波長選択スイッチ１５＃１〜１５＃ｍ（ＷＳＳ）は、それぞれ方路＃１〜＃ｍに対応して設けられている。波長選択スイッチ１５＃１〜１５＃ｍは、入力される複数の光信号に含まれる特定波長の光信号を選択して合波する。波長選択スイッチ１５＃１〜１５＃ｍは、合波した光信号をそれぞれ増幅器１６＃１〜１６＃ｍへ出力する。
【００５３】
波長選択スイッチ１５＃１には、カプラ１４からのｍ個の光信号（Ａｄｄ）と、他の方路（＃２〜＃ｍ）からのｍ−１個の光信号（Ｔｈｒｏｕｇｈ）と、が入力される。同様に、波長選択スイッチ１５＃２〜１５＃ｍには、各カプラからのｍ個の光信号（Ａｄｄ）と、他の方路からのｍ−１個の光信号（Ｔｈｒｏｕｇｈ）と、が入力される。
【００５４】
このように、ＣＤＣ機能を持つ光挿入分岐装置４００においては、波長選択スイッチ１５＃１〜１５＃ｍのそれぞれにおいて多くの入力ポートを設けることになる。これに対して、波長選択スイッチ１５＃１〜１５＃ｍのそれぞれに光切替装置１００を適用することで、波長選択スイッチ１５＃１〜１５＃ｍのそれぞれの入力ポート数を容易に確保することができる。
【００５５】
また、波長選択スイッチ１５＃１〜１５＃ｍのそれぞれに光切替装置１００を適用することで、クライアント側からの光信号（Ａｄｄ）と他の方路（＃２〜＃ｍ）からの光信号（Ｔｈｒｏｕｇｈ）とで通過する光デバイスの数が同じになる。このため、特定ルートの光信号が光デバイスを多段に通過してルート間の特性ばらつきを抑制することができる。
【００５６】
増幅器１６＃１〜１６＃ｍは、それぞれ波長選択スイッチ１５＃１〜１５＃ｍから出力された光信号を増幅する。増幅器１６＃１〜１６＃ｍは、増幅した光信号をそれぞれ方路＃１〜＃ｍへ出力する。なお、カプラ１４と波長選択スイッチ１５＃１〜１５＃ｍとの間の各光経路に増幅器を設け、光信号の損失を補償する構成としてもよい。図４に示した方路数、波長多重光に含まれる波長数、各スイッチのポート数、各カプラの分岐比、各増幅器の位置などは一例を表すものである。したがって、図４に示した構成を種々変更することが可能である。
【００５７】
図４に示した光挿入分岐装置４００によれば、ネットワーク側のＮ×ｍ（たとえば７６８）のチャネルに対して１００％の挿入分岐がサポートされる。したがって、クライアント側はＮ×ｍ（たとえば７６８）のチャネルを有することになる。
【００５８】
また、光挿入分岐装置４００によれば、クロスコネクトスイッチ１３やカプラ１４などの波長依存性のないデバイスを用いることで、クライアント側からの光信号の波長を任意に選択できる（Ｃｏｌｏｒｌｅｓｓ）。また、カプラ１４を各方路の波長選択スイッチ１５に接続することにより、各方路の方向依存性をなくすことができる（Ｄｉｒｅｃｔｉｏｎｌｅｓｓ）。さらに、クロスコネクトスイッチ１３によって任意の方路に特定の波長を振り分けることで、同じ波長の信号がネットワーク側の方路で衝突しないように制御を行うことができる（Ｃｏｎｔｅｎｔｉｏｎｌｅｓｓ）。
【００５９】
また、光挿入分岐装置４００においては、各光信号は通過帯域（Ｐａｓｓｂａｎｄ）について制限を持つデバイスを経由しないため、各光信号の伝送レートに対応して各波長選択スイッチの通過帯域を変更するＧｒｉｄｌｅｓｓ方式にも対応が可能である。Ｇｒｉｄｌｅｓｓ方式については、たとえば非特許文献（参考文献：Ｓ．Ｔｉｂｕｌｅａｃ、“ＲＯＡＤＭ  Ｎｅｔｗｏｒｋ  Ｄｅｓｉｇｎ  Ｉｓｓｕｅｓ”、ＯＦＣ／ＮＦＯＥＣ、２００９）に開示されている。
【００６０】
図５は、図２に示した光切替装置を適用した光挿入分岐装置の例１を示す図である。図５に示す光挿入分岐装置４００は、図２に示した光切替装置２００を適用した光挿入分岐装置の例である。光挿入分岐装置４００は、波長多重光に対する信号の挿入および分岐を行うＯＡＤＭである。ただし、図５においては光挿入分岐装置４００における光信号の分岐を行う構成について図示している。
【００６１】
光挿入分岐装置４００には、ｍ方路（たとえば８方路）から光信号が入力されるとする。また、各方路から光挿入分岐装置４００へ入力される各光信号には、最大でＮ波長（たとえば９６波長）の光信号が波長多重されているとする。ネットワーク側のチャネル数は最大でＮ×ｍ（たとえば９６×８＝７６８）となる。
【００６２】
光挿入分岐装置４００は、ＣＤＣ機能を持つ分岐部を備える。具体的には、光挿入分岐装置４００は、ｍ個の増幅器２１＃１〜２１＃ｍと、ｍ個の波長選択スイッチ２２＃１〜２２＃ｍと、複数個のカプラ２３と、複数個のクロスコネクトスイッチ２４と、複数個の可変フィルタ２５と、複数個のトランスポンダ２６と、を備えている。図２に示した光切替装置２００は、たとえば波長選択スイッチ２２＃１〜２２＃ｍのそれぞれに適用することができる。
【００６３】
増幅器２１＃１〜２１＃ｍは、それぞれ方路＃１〜＃ｍからの光信号を増幅する。増幅器２１＃１〜２１＃ｍは、増幅した光信号をそれぞれ波長選択スイッチ２２＃１〜２２＃ｍへ出力する。波長選択スイッチ２２＃１〜２２＃ｍは、それぞれ増幅器２１＃１〜２１＃ｍから出力された光信号を波長に応じて複数の光信号に分離して出力する。
【００６４】
波長選択スイッチ２２＃１からは、カプラ２３への光信号（Ｄｒｏｐ）と、他の方路（＃２〜＃ｍ）へのｍ−１個の光信号（Ｔｈｒｏｕｇｈ）と、が出力される。同様に、波長選択スイッチ２２＃２〜２２＃ｍからは、各カプラへのｍ個の光信号（Ｄｒｏｐ）と、他の方路へのｍ−１個の光信号（Ｔｈｒｏｕｇｈ）と、が出力される。
【００６５】
このように、ＣＤＣ機能を持つ光挿入分岐装置４００においては、波長選択スイッチ２２＃１〜２２＃ｍのそれぞれにおいて多くの出力ポートを設けることになる。これに対して、波長選択スイッチ２２＃１〜２２＃ｍのそれぞれに光切替装置２００を適用することで、波長選択スイッチ２２＃１〜２２＃ｍのそれぞれの出力ポート数を容易に確保することができる。
【００６６】
また、波長選択スイッチ２２＃１〜２２＃ｍのそれぞれに光切替装置２００を適用することで、クライアント側への光信号（Ｄｒｏｐ）と他の方路（＃２〜＃ｍ）への光信号（Ｔｈｒｏｕｇｈ）とで通過する光デバイスの数が同じになる。このため、特定ルートの光信号が光デバイスを多段に通過してルート間の特性ばらつきを抑制することができる。
【００６７】
カプラ２３（ＣＰＬ）のそれぞれは、波長選択スイッチ２２＃１〜２２＃ｍから出力された光信号をｎ個の光信号に分岐する１：ｎのスプリッタである。カプラ２３は、分岐したｎ個の光信号をそれぞれクロスコネクトスイッチ２４へ出力する。
【００６８】
クロスコネクトスイッチ２４（ＯＸＣ）は、それぞれカプラ２３から出力された光信号の経路を切り替える。クロスコネクトスイッチ２４は、経路を切り替えた光信号をそれぞれ可変フィルタ２５へ出力する。
【００６９】
可変フィルタ２５（ＴＦ）は、それぞれクロスコネクトスイッチ２４から出力された光信号の特定波長を抽出する。可変フィルタ２５が抽出する特定波長は設定により変更することができる。可変フィルタ２５は、抽出した光信号をそれぞれトランスポンダ２６へ出力する。これにより、任意の波長の光信号を抽出して受信することができる。
【００７０】
トランスポンダ２６（ＴＲＰＮ：受信部）は、それぞれ可変フィルタ２５から出力された光信号を受信する。なお、図５に示した方路数、波長多重光に含まれる波長数、各スイッチのポート数、各カプラの分岐比、各増幅器の位置などは一例を表すものである。したがって、図５に示した構成を種々変更することが可能である。
【００７１】
図５に示した光挿入分岐装置４００によれば、各方路からの光信号を波長選択スイッチ２２＃１〜２２＃ｍを用いて各クライアント側のグループに振り分けることができる。また、クロスコネクトスイッチ２４によっていずれの方路からの光信号をＤｒｏｐするかを選択することができる。また、可変フィルタ２５によって所望の光信号を抜き取ることで、波長、方路の依存性をなくし（Ｃｏｌｏｒｌｅｓｓ，Ｄｉｒｅｃｔｉｏｎｌｅｓｓ）、同一信号の衝突を防ぐことができる（Ｃｏｎｔｅｎｔｉｏｎｌｅｓｓ）。
【００７２】
また、光挿入分岐装置４００においては、各光信号は通過帯域（Ｐａｓｓｂａｎｄ）について制限を持つデバイスを経由しないため、各光信号の伝送レートに対応して各波長選択スイッチの通過帯域を変更するＧｒｉｄｌｅｓｓ方式にも対応が可能である。
【００７３】
図６は、図４に示した光挿入分岐装置の初期運用状態の例を示す図である。図６に示す光挿入分岐装置４００は、図４に示した光挿入分岐装置４００において、Ｎ＝９６波長、ｍ＝２方路、クライアント側のチャネル数を１６とした構成である。この場合は、光挿入分岐装置４００は、１６個のトランスポンダ１１＃１〜１１＃１６と、１６個の可変フィルタ１２＃１〜１２＃１６と、８個のクロスコネクトスイッチ１３＃１〜１３＃８と、４個のカプラ１４＃１〜１４＃４と、２個の波長選択スイッチ１５＃１〜１５＃２と、２個の増幅器１６＃１〜１６＃２と、を備えている。
【００７４】
この場合は、クロスコネクトスイッチ１３＃１〜１３＃８のそれぞれは、２×２のクロスコネクトスイッチとすることができる。ただし、将来の増設に備え、ここではクロスコネクトスイッチ１３＃１〜１３＃８のそれぞれをｊ×ｊのクロスコネクトスイッチとしている。これにより、クライアント側のチャネル数の増設や方路の増設をインサービスで行うことが可能になる。
【００７５】
また、カプラ１４＃１〜１４＃４のそれぞれは、４：１のカプラとすることができる。ただし、将来の増設に備え、ここではカプラ１４＃１〜１４＃４のそれぞれをｎ：１（たとえば１２：１）のカプラとしている。これにより、クライアント側のチャネル数の増設や方路の増設をインサービスで行うことが可能になる。
【００７６】
図７は、図５に示した光挿入分岐装置の初期運用状態の例を示す図である。図７に示す光挿入分岐装置４００は、図５に示した光挿入分岐装置４００において、Ｎ＝９６波長、ｍ＝８方路、クライアント側のチャネル数を１６チャネルとした構成である。この場合は、光挿入分岐装置４００は、２個の増幅器２１＃１〜２１＃２と、２個の波長選択スイッチ２２＃１〜２２＃２と、４個のカプラ２３＃１〜２３＃４と、８個のクロスコネクトスイッチ２４＃１〜２４＃８と、１６個の可変フィルタ２５＃１〜２５＃１６と、１６個のトランスポンダ２６＃１〜２６＃１６と、を備えている。
【００７７】
この場合は、クロスコネクトスイッチ２４＃１〜２４＃８のそれぞれは、２×２のクロスコネクトスイッチとすることができる。ただし、将来の増設に備え、ここではクロスコネクトスイッチ２４＃１〜２４＃８のそれぞれをｊ×ｊのクロスコネクトスイッチとしている。これにより、クライアント側のチャネル数の増設や方路の増設をインサービスで行うことが可能になる。
【００７８】
また、カプラ２３＃１〜２３＃４のそれぞれは、１：４のカプラとすることができる。ただし、将来の増設に備え、ここではカプラ２３＃１〜２３＃４のそれぞれを１：ｎ（たとえば１：１２）のカプラとしている。これにより、クライアント側のチャネル数の増設や方路の増設をインサービスで行うことが可能になる。
【００７９】
図８は、図４に示した光挿入分岐装置の変形例を示す図である。図８に示す光挿入分岐装置４００は、図４に示した光挿入分岐装置４００の変形例である。ネットワーク側のチャネル数Ｎ×ｍ（９６×８＝７６８）に対して、クライアント側のチャネル数を９６チャネルに制限する場合は、図８に示すように、図４に示した光挿入分岐装置４００においてカプラ１４を省いた構成としてもよい。この場合は、クロスコネクトスイッチ１３と波長選択スイッチ１５＃１〜１５＃ｍとを接続する。
【００８０】
したがって、光挿入分岐装置４００は、９６個のトランスポンダ１１＃１〜１１＃９６と、９６個の可変フィルタ１２＃１〜１２＃９６と、１２個のクロスコネクトスイッチ１３＃１〜１３＃１２と、ｍ個の波長選択スイッチ１５＃１〜１５＃ｍと、ｍ個の増幅器１６＃１〜１６＃ｍと、を備えている。この場合は、ネットワーク側のチャネルに対して１２．５％の挿入（Ａｄｄ）が可能である。
【００８１】
図９は、図５に示した光挿入分岐装置の変形例を示す図である。図９に示す光挿入分岐装置４００は、図５に示した光挿入分岐装置４００の変形例である。ネットワーク側のチャネル数Ｎ×ｍ（９６×８＝７６８）に対して、クライアント側のチャネル数を９６チャネルに制限する場合は、図９に示すように、図５に示した光挿入分岐装置４００においてカプラ２３を省いた構成としてもよい。この場合は、波長選択スイッチ２２＃１〜２２＃ｍとクロスコネクトスイッチ２４とを接続する。
【００８２】
したがって、光挿入分岐装置４００は、ｍ個の増幅器２１＃１〜２１＃ｍと、ｍ個の波長選択スイッチ２２＃１〜２２＃ｍと、１２個のクロスコネクトスイッチ２４＃１〜２４＃１２と、９６個の可変フィルタ２５＃１〜２５＃９６と、９６個のトランスポンダ２６＃１〜２６＃９６と、を備えている。この場合は、ネットワーク側のチャネルに対して１２．５％の分岐（Ｄｒｏｐ）が可能である。
【００８３】
また、図９に示す構成においては、クロスコネクトスイッチ２４＃１〜２４＃１２から出力される各光信号は１波長の光信号となるため、さらに可変フィルタ２５＃１〜２５＃９６を省いた構成にしてもよい。この場合は、クロスコネクトスイッチ２４＃１〜２４＃１２とトランスポンダ２６＃１〜２６＃９６とを接続する。
【００８４】
図１０は、図１−１，図１−２に示した光切替装置を適用した光挿入分岐装置の例２を示す図である。図１０において、図４に示した部分と同様の部分については同一の符号を付して説明を省略する。図１０に示すように、光挿入分岐装置４００は、図４に示した構成に加えて、ｍ個のクロスコネクトスイッチ３１＃１〜３１＃ｍと、ｍ×Ｎ個のスイッチ３２＃１１〜３２＃Ｎｍ（第１スイッチ）と、ｍ×Ｎ個のスイッチ３３＃１１〜３３＃Ｎｍ（第２スイッチ）と、ｍ個の多重化部３４＃１〜３４＃ｍと、を備えていてもよい。この場合は、光挿入分岐装置４００は、図４に示したクロスコネクトスイッチ１３およびカプラ１４を備えていなくてもよい。
【００８５】
トランスポンダ１１は、光信号をそれぞれクロスコネクトスイッチ３１＃１〜３１＃ｍへ出力する。クロスコネクトスイッチ３１＃１〜３１＃ｍは、それぞれトランスポンダ１１から出力された光信号の経路を切り替えるＮ×Ｎスイッチである。クロスコネクトスイッチ３１＃１〜３１＃ｍは、経路を切り替えた光信号をそれぞれスイッチ３２＃１１〜３２＃Ｎ１，…，３２＃１ｍ〜３２＃Ｎｍのいずれかへ出力する。
【００８６】
スイッチ３２＃１１〜３２＃Ｎ１，…，３２＃１ｍ〜３２＃Ｎｍは、それぞれクロスコネクトスイッチ３１＃１〜３１＃ｍから出力された光信号をスイッチ３３＃１１〜３３＃Ｎ１，…，３３＃１ｍ〜３３＃Ｎｍのいずれかへ出力する。たとえば、スイッチ３２＃１１は、クロスコネクトスイッチ３１＃１から出力された光信号をスイッチ３３＃１１，３３＃１２，…，３３＃１ｍのいずれかへ出力する。
【００８７】
スイッチ３３＃１１〜３３＃Ｎ１，…，３３＃１ｍ〜３３＃Ｎｍは、それぞれスイッチ３２＃１１〜３２＃Ｎ１，…，３２＃１ｍ〜３２＃Ｎｍのいずれかから出力された光信号をそれぞれ多重化部３４＃１〜３４＃ｍへ出力する。たとえば、スイッチ３３＃１１は、スイッチ３２＃１１，３２＃１２，…，３２＃１ｍのいずれかから出力された光信号を多重化部３４＃１へ出力する。これにより、各光信号が各方路に振り分けられる。
【００８８】
多重化部３４＃１〜３４＃ｍ（ＭＵＸ）は、それぞれスイッチ３３＃１１〜３３＃Ｎ１，…，３３＃１ｍ〜３３＃Ｎｍから出力された光信号を多重化（波長多重）してそれぞれ波長選択スイッチ１５＃１〜１５＃ｍへ出力する。たとえば多重化部３４＃１は、スイッチ３３＃１１〜３３＃Ｎ１から出力された光信号を多重化して波長選択スイッチ１５＃１へ出力する。
【００８９】
波長選択スイッチ１５＃１には、多重化部３４＃１からの光信号（Ａｄｄ）と、他の方路（＃２〜＃ｍ）からのｍ−１個の光信号（Ｔｈｒｏｕｇｈ）と、が入力される。同様に、波長選択スイッチ１５＃２〜１５＃ｍには、それぞれ多重化部３４＃２〜３４＃ｍからの光信号（Ａｄｄ）と、他の方路からのｍ−１個の光信号（Ｔｈｒｏｕｇｈ）と、が入力される。
【００９０】
このように、光挿入分岐装置４００において、クライアント側にクロスコネクトスイッチ３１＃１〜３１＃ｍを設け、ネットワーク側に多重化部３４＃１〜３４＃ｍを設ける。そして、クロスコネクトスイッチ３１＃１〜３１＃ｍと多重化部３４＃１〜３４＃ｍとの間にスイッチ３２＃１１〜３２＃Ｎｍおよびスイッチ３３＃１１〜３３＃Ｎｍを設ける。これにより、波長依存性のないクロスコネクトスイッチ３１＃１〜３１＃ｍ、スイッチ３２＃１１〜３２＃Ｎｍおよびスイッチ３３＃１１〜３３＃Ｎｍによって各光信号を各方路へ振り分けることができる。このため、波長依存性を有する多重化部３４＃１〜３４＃ｍを用いてもＣＤＣ機能を実現することができる。
【００９１】
また、スイッチ３２＃１１〜３２＃Ｎｍおよびスイッチ３３＃１１〜３３＃Ｎｍを用いることにより、クロスコネクトスイッチ３１＃１〜３１＃ｍと多重化部３４＃１〜３４＃ｍとの間の光損失を抑えることができる。
【００９２】
図１１は、図２に示した光切替装置を適用した光挿入分岐装置の例２を示す図である。図１１において、図５に示した部分と同様の部分については同一の符号を付して説明を省略する。図１１に示すように、光挿入分岐装置４００は、図５に示した構成に加えて、ｍ個の多重分離部４１＃１〜４１＃ｍと、ｍ×Ｎ個のスイッチ４２＃１１〜４２＃Ｎｍ（第１スイッチ）と、ｍ×Ｎ個のスイッチ４３＃１１〜４３＃Ｎｍ（第２スイッチ）と、ｍ個のクロスコネクトスイッチ４４＃１〜４４＃ｍと、を備えていてもよい。この場合は、光挿入分岐装置４００は、図５に示したカプラ２３およびクロスコネクトスイッチ２４を備えていなくてもよい。
【００９３】
波長選択スイッチ２２＃１は、多重分離部４１＃１への光信号（Ａｄｄ）と、他の方路（＃２〜＃ｍ）へのｍ−１個の光信号（Ｔｈｒｏｕｇｈ）と、を出力する。同様に、波長選択スイッチ２２＃２〜２２＃ｍは、それぞれ多重分離部４１＃２〜４１＃ｍへの光信号（Ａｄｄ）と、他の方路へのｍ−１個の光信号（Ｔｈｒｏｕｇｈ）と、を出力する。
【００９４】
多重分離部４１＃１〜４１＃ｍは、それぞれ波長選択スイッチ２２＃１〜２２＃ｍから出力された光信号を多重化してそれぞれスイッチ４２＃１１〜４２＃Ｎ１，…，４２＃１ｍ〜４２＃Ｎｍへ出力する。たとえば、多重分離部４１＃１は、波長選択スイッチ２２＃１から出力された光信号を多重分離し、分離した各光信号をそれぞれスイッチ４２＃１１〜４２＃Ｎ１へ出力する。
【００９５】
スイッチ４２＃１１〜４２＃Ｎ１，…，４２＃１ｍ〜４２＃Ｎｍは、それぞれ多重分離部４１＃１〜４１＃ｍから出力された光信号をそれぞれスイッチ４３＃１１〜４３＃Ｎ１，…，４３＃１ｍ〜４３＃Ｎｍのいずれかへ出力する。たとえば、スイッチ４２＃１１は、多重分離部４１＃１から出力された光信号をスイッチ４３＃１１，４３＃１２，…，４３＃１ｍのいずれかへ出力する。
【００９６】
スイッチ４３＃１１〜４３＃Ｎ１，…，４３＃１ｍ〜４３＃Ｎｍは、それぞれスイッチ４２＃１１〜４２＃Ｎ１，…，４２＃１ｍ〜４２＃Ｎｍのいずれかから出力された光信号をそれぞれクロスコネクトスイッチ４４＃１〜４４＃ｍへ出力する。たとえば、スイッチ４３＃１１は、スイッチ４２＃１１，４２＃１２，…，４２＃１ｍのいずれかから出力された光信号をクロスコネクトスイッチ４４＃１へ出力する。
【００９７】
クロスコネクトスイッチ４４＃１〜４４＃ｍは、それぞれスイッチ４３＃１１〜４３＃Ｎ１，…，４３＃１ｍ〜４３＃Ｎｍから出力された光信号の経路を切り替えるＮ×Ｎスイッチである。クロスコネクトスイッチ４４＃１〜４４＃ｍは、経路を切り替えた光信号をそれぞれトランスポンダ２６へ出力する。
【００９８】
このように、光挿入分岐装置４００において、クライアント側にクロスコネクトスイッチ４４＃１〜４４＃ｍを設け、ネットワーク側に多重分離部４１＃１〜４１＃ｍを設ける。そして、クロスコネクトスイッチ４４＃１〜４４＃ｍと多重分離部４１＃１〜４１＃ｍとの間にスイッチ４３＃１１〜４３＃Ｎｍおよびスイッチ４２＃１１〜４２＃Ｎｍを設ける。これにより、波長依存性のないクロスコネクトスイッチ４４＃１〜４４＃ｍ、スイッチ４３＃１１〜４３＃Ｎｍおよびスイッチ４２＃１１〜４２＃Ｎｍによって各方路からの光信号を任意のトランスポンダで受信することができる。このため、波長依存性を有する多重分離部４１＃１〜４１＃ｍを用いてもＣＤＣ機能を実現することができる。
【００９９】
図１２は、図１０に示した光挿入分岐装置の変形例１を示す図である。図１２において、図１０に示した部分と同様の部分については同一の符号を付して説明を省略する。図１２に示すように、図１０に示した光挿入分岐装置４００において、スイッチ３３＃１１〜３３＃Ｎｍに代えてｍ×Ｎ個のカプラ３５＃１１〜３５＃Ｎｍ（第２カプラ）を設けてもよい。スイッチ３２＃１１〜３２＃Ｎ１，…，３２＃１ｍ〜３２＃Ｎｍは、それぞれクロスコネクトスイッチ３１＃１〜３１＃ｍから出力された光信号をカプラ３５＃１１〜３５＃Ｎ１，…，３５＃１ｍ〜３５＃Ｎｍのいずれかへ出力する。
【０１００】
カプラ３５＃１１〜３５＃Ｎ１，…，３５＃１ｍ〜３５＃Ｎｍは、それぞれスイッチ３２＃１１〜３２＃Ｎ１，…，３２＃１ｍ〜３２＃Ｎｍから出力された光信号を合波してそれぞれ多重化部３４＃１〜３４＃ｍへ出力する。多重化部３４＃１〜３４＃ｍ（ＭＵＸ）は、それぞれカプラ３５＃１１〜３５＃Ｎ１，…，３５＃１ｍ〜３５＃Ｎｍから出力された光信号を多重化してそれぞれ波長選択スイッチ１５＃１〜１５＃ｍへ出力する。
【０１０１】
図１２に示した光挿入分岐装置４００によれば、図１０に示した光挿入分岐装置４００と同様に、波長依存性を有する多重化部３４＃１〜３４＃ｍを用いてもＣＤＣ機能を実現することができる。
【０１０２】
図１３は、図１１に示した光挿入分岐装置の変形例１を示す図である。図１３において、図１１に示した部分と同様の部分については同一の符号を付して説明を省略する。図１３に示すように、図１１に示した光挿入分岐装置４００において、スイッチ４２＃１１〜４２＃Ｎｍに代えてｍ×Ｎ個のカプラ４５＃１１〜４５＃Ｎｍ（第２カプラ）を設けてもよい。多重分離部４１＃１〜４１＃ｍは、それぞれ波長選択スイッチ２２＃１〜２２＃ｍから出力された光信号を多重分離（波長多重分離）してそれぞれカプラ４５＃１１〜４５＃Ｎ１，…，４５＃１ｍ〜４５＃Ｎｍへ出力する。
【０１０３】
カプラ４５＃１１〜４５＃Ｎ１，…，４５＃１ｍ〜４５＃Ｎｍは、それぞれ多重分離部４１＃１〜４１＃ｍから出力された光信号をそれぞれスイッチ４３＃１１〜４３＃Ｎ１，…，４３＃１ｍ〜４３＃Ｎｍのいずれかへ出力する。スイッチ４３＃１１〜４３＃Ｎ１，…，４３＃１ｍ〜４３＃Ｎｍは、それぞれカプラ４５＃１１〜４５＃Ｎ１，…，４５＃１ｍ〜４５＃Ｎｍのいずれかから出力された光信号をそれぞれクロスコネクトスイッチ４４＃１〜４４＃ｍへ出力する。
【０１０４】
図１３に示した光挿入分岐装置４００によれば、図１１に示した光挿入分岐装置４００と同様に、波長依存性を有する多重分離部４１＃１〜４１＃ｍを用いてもＣＤＣ機能を実現することができる。
【０１０５】
図１４は、図１０に示した光挿入分岐装置の変形例２を示す図である。図１４において、図１０に示した部分と同様の部分については同一の符号を付して説明を省略する。図１４に示すように、図１０に示した光挿入分岐装置４００において、スイッチ３２＃１１〜３２＃Ｎｍに代えてｍ×Ｎ個のカプラ３６＃１１〜３６＃Ｎｍ（第２カプラ）を設けてもよい。クロスコネクトスイッチ３１＃１〜３１＃ｍは、経路を切り替えた光信号をそれぞれカプラ３６＃１１〜３６＃Ｎ１，…，３６＃１ｍ〜３６＃Ｎｍのいずれかへ出力する。
【０１０６】
カプラ３６＃１１〜３６＃Ｎ１，…，３６＃１ｍ〜３６＃Ｎｍは、それぞれクロスコネクトスイッチ３１＃１〜３１＃ｍから出力された光信号をスイッチ３３＃１１〜３３＃Ｎ１，…，３３＃１ｍ〜３３＃Ｎｍのいずれかへ出力する。スイッチ３３＃１１〜３３＃Ｎ１，…，３３＃１ｍ〜３３＃Ｎｍは、それぞれカプラ３６＃１１〜３６＃Ｎ１，…，３６＃１ｍ〜３６＃Ｎｍのいずれかから出力された光信号をそれぞれ多重化部３４＃１〜３４＃ｍへ出力する。
【０１０７】
図１４に示した光挿入分岐装置４００によれば、図１０に示した光挿入分岐装置４００と同様に、波長依存性を有する多重化部３４＃１〜３４＃ｍを用いてもＣＤＣ機能を実現することができる。
【０１０８】
図１５は、図１１に示した光挿入分岐装置の変形例２を示す図である。図１５において、図１１に示した部分と同様の部分については同一の符号を付して説明を省略する。図１５に示すように、図１１に示した光挿入分岐装置４００において、スイッチ４３＃１１〜４３＃Ｎｍに代えてｍ×Ｎ個のカプラ４６＃１１〜４６＃Ｎｍ（第２カプラ）を設けてもよい。スイッチ４２＃１１〜４２＃Ｎ１，…，４２＃１ｍ〜４２＃Ｎｍは、それぞれ多重分離部４１＃１〜４１＃ｍから出力された光信号をそれぞれカプラ４６＃１１〜４６＃Ｎ１，…，４６＃１ｍ〜４６＃Ｎｍのいずれかへ出力する。
【０１０９】
カプラ４６＃１１〜４６＃Ｎ１，…，４６＃１ｍ〜４６＃Ｎｍは、それぞれスイッチ４２＃１１〜４２＃Ｎ１，…，４２＃１ｍ〜４２＃Ｎｍのいずれかから出力された光信号をそれぞれクロスコネクトスイッチ４４＃１〜４４＃ｍへ出力する。クロスコネクトスイッチ４４＃１〜４４＃ｍは、それぞれカプラ４６＃１１〜４６＃Ｎ１，…，４６＃１ｍ〜４６＃Ｎｍから出力された光信号の経路を切り替えるＮ×Ｎスイッチである。
【０１１０】
図１５に示した光挿入分岐装置４００によれば、図１１に示した光挿入分岐装置４００と同様に、波長依存性を有する多重分離部４１＃１〜４１＃ｍを用いてもＣＤＣ機能を実現することができる。
【０１１１】
図１６は、図１０に示した光挿入分岐装置の初期運用状態の例を示す図である。図１６において、図１０に示した部分と同様の部分については同一の符号を付して説明を省略する。図１６に示す光挿入分岐装置４００は、図１０に示した光挿入分岐装置４００において、クライアント側のチャネル数を９６とした構成である。
【０１１２】
具体的には、光挿入分岐装置４００は、９６個のトランスポンダ１１と、１個のクロスコネクトスイッチ３１＃１と、Ｎ個のスイッチ３２＃１１〜３２＃Ｎ１と、ｍ×Ｎ個のスイッチ３３＃１１〜３３＃Ｎｍと、ｍ個の多重化部３４＃１〜３４＃ｍと、ｍ個の波長選択スイッチ１５＃１〜１５＃ｍと、ｍ個の増幅器１６＃１〜１６＃ｍと、を備えている。この場合は、ネットワーク側のチャネルに対して１２．５％の挿入（Ａｄｄ）が可能である。
【０１１３】
この場合は、スイッチ３２＃１１〜３２＃Ｎ１のそれぞれは、たとえば１×４のスイッチとすることもできる。また、スイッチ３３＃１１〜３３＃Ｎｍのそれぞれは、たとえば４×１のスイッチとすることもできる。ただし、将来の増設に備え、ここではスイッチ３２＃１１〜３２＃Ｎ１を１×ｍ（たとえば１×８）のスイッチとし、スイッチ３３＃１１〜３３＃Ｎｍをｍ×１（たとえば８×１）のスイッチとしている。これにより、クライアント側のチャネル数の増設や方路の増設をインサービスで行うことが可能になる。
【０１１４】
図１７は、図１１に示した光挿入分岐装置の初期運用状態の例を示す図である。図１７において、図１１に示した部分と同様の部分については同一の符号を付して説明を省略する。図１７に示す光挿入分岐装置４００は、図１１に示した光挿入分岐装置４００において、クライアント側のチャネル数を９６とした構成である。
【０１１５】
具体的には、光挿入分岐装置４００は、ｍ個の増幅器２１＃１〜２１＃ｍと、ｍ個の波長選択スイッチ２２＃１〜２２＃ｍと、ｍ個の多重分離部４１＃１〜４１＃ｍと、ｍ×Ｎ個のスイッチ４２＃１１〜４２＃Ｎｍと、Ｎ個のスイッチ４３＃１１〜４３＃Ｎ１と、１個のクロスコネクトスイッチ４４＃１と、９６個のトランスポンダ２６と、を備えている。この場合は、ネットワーク側のチャネルに対して１２．５％の分岐（Ｄｒｏｐ）が可能である。
【０１１６】
この場合は、スイッチ４２＃１１〜４２＃Ｎ１のそれぞれは、たとえば１×４のスイッチとすることもできる。また、スイッチ４３＃１１〜４３＃Ｎ１のそれぞれは、たとえば４×１のスイッチとすることもできる。ただし、将来の増設に備え、ここではスイッチ４２＃１１〜４２＃Ｎｍを１×ｍ（たとえば１×８）のスイッチとし、スイッチ４３＃１１〜４３＃Ｎ１をｍ×１（たとえば８×１）のスイッチとしている。これにより、クライアント側のチャネル数の増設や方路の増設をインサービスで行うことが可能になる。
【０１１７】
図１８は、図１−１，図１−２に示した光切替装置を適用した光挿入分岐装置の例３を示す図である。図１８において、図４に示した部分と同様の部分については同一の符号を付して説明を省略する。図１８に示す光挿入分岐装置４００は、クライアント側のチャネル数を６４とした構成である。
【０１１８】
図１８に示す光挿入分岐装置４００は、複数個のトランスポンダ１１と、ｍ個の波長選択スイッチ５１＃１〜５１＃ｍ（第２波長選択スイッチ）と、ｍ個の波長選択スイッチ１５＃１〜１５＃ｍと、ｍ個の増幅器１６＃１〜１６＃ｍと、を備えている。図１−１または図１−２に示した光切替装置１００は、たとえば波長選択スイッチ１５＃１〜１５＃ｍのそれぞれに適用することができる。トランスポンダ１１（ＴＲＰＮ：送信部）は、光信号をそれぞれ波長選択スイッチ５１＃１〜５１＃ｍへ出力する。
【０１１９】
波長選択スイッチ５１＃１〜５１＃ｍ（ＷＳＳ）はそれぞれ方路＃１〜＃ｍに対応して設けられている。波長選択スイッチ５１＃１〜５１＃ｍには、トランスポンダ１１から出力された光信号と、波長選択スイッチ５１＃１〜５１＃ｍのうちの他の方路に向かう波長選択スイッチからの光信号と、が入力される。たとえば、波長選択スイッチ５１＃１には、トランスポンダ１１から出力された光信号と、波長選択スイッチ５１＃２〜５１＃ｍからの光信号と、が入力される。
【０１２０】
波長選択スイッチ５１＃１〜５１＃ｍのそれぞれは、入力された各光信号の経路を波長ごとに切り替える。波長選択スイッチ５１＃１〜５１＃ｍは、経路を切り替えた各光信号を、それぞれ波長選択スイッチ１５＃１〜１５＃ｍと、波長選択スイッチ５１＃１〜５１＃ｍのうちの他の方路の波長選択スイッチと、へそれぞれ出力する。たとえば、波長選択スイッチ５１＃１は、経路を切り替えた各光信号を、波長選択スイッチ１５＃１と、波長選択スイッチ５１＃２〜５１＃ｍと、へそれぞれ出力する。波長選択スイッチ５１＃１〜５１＃ｍのそれぞれは、たとえば１６×８の波長選択スイッチである。
【０１２１】
波長選択スイッチ１５＃１には、波長選択スイッチ５１＃１からの光信号（Ａｄｄ）と、他の方路（＃２〜＃ｍ）からのｍ−１個の光信号（Ｔｈｒｏｕｇｈ）と、が入力される。同様に、波長選択スイッチ１５＃２〜１５＃ｍには、それぞれ波長選択スイッチ５１＃２〜５１＃ｍからの光信号（Ａｄｄ）と、他の方路からのｍ−１個の光信号（Ｔｈｒｏｕｇｈ）と、が入力される。波長選択スイッチ１５＃１〜１５＃ｍのそれぞれは、たとえば８×１の波長選択スイッチである。
【０１２２】
このように、入力ポートおよび出力ポートをそれぞれ複数有する波長選択スイッチ５１＃１〜５１＃ｍを設け、波長選択スイッチ５１＃１〜５１＃ｍの出力ポートと入力ポートを相互に接続する。具体的には、波長選択スイッチ５１＃１〜５１＃ｍのそれぞれの複数の入力ポートには、自ノードの挿入（Ａｄｄ）のためのポートと、他の方路との接続ポートと、が含まれる。これにより、他の方路への信号分配および合流が可能になる（Ｄｉｒｅｃｔｉｏｎｌｅｓｓ）。
【０１２３】
また、クライアント側からの光信号の波長を波長選択スイッチ５１＃１〜５１＃ｍによって任意に選択できる（Ｃｏｌｏｒｌｅｓｓ）。また、波長選択スイッチ５１＃１〜５１＃ｍによって任意の方路に特定の波長を振り分けることで、同じ波長の信号がネットワーク側の方路で衝突しないようにすることができる（Ｃｏｎｔｅｎｔｉｏｎｌｅｓｓ）。
【０１２４】
図１８に示した光挿入分岐装置４００によれば、構成が簡略化され、初期コストの低減が可能になる。また、クライアント側チャネルからネットワーク側までの通過デバイスが少なく、光損失を低減することができる。また、各光信号は通過帯域（Ｐａｓｓｂａｎｄ）について制限を持つデバイスを経由しないため、各光信号の伝送レートに対応して各波長選択スイッチの通過帯域を変更するＧｒｉｄｌｅｓｓ方式にも対応が可能である。
【０１２５】
また、図１８に示した光挿入分岐装置４００において、波長選択スイッチ５１＃１〜５１＃ｍと波長選択スイッチ１５＃１〜１５＃ｍとをそれぞれまとめてｍ個の波長選択スイッチとしてもよい。たとえば、波長選択スイッチ５１＃１と波長選択スイッチ１５＃１とをまとめて２４×８の波長選択スイッチとしてもよい。
【０１２６】
図１９は、図２に示した光切替装置を適用した光挿入分岐装置の例３を示す図である。図１９において、図５に示した部分と同様の部分については同一の符号を付して説明を省略する。図１９に示す光挿入分岐装置４００は、クライアント側のチャネル数を６４とした構成である。
【０１２７】
図１９に示す光挿入分岐装置４００は、ｍ個の増幅器２１＃１〜２１＃ｍと、ｍ個の波長選択スイッチ２２＃１〜２２＃ｍと、ｍ個の波長選択スイッチ６１＃１〜６１＃ｍ（第２波長選択スイッチ）と、複数個のトランスポンダ２６と、を備えている。図２に示した光切替装置１００は、たとえば波長選択スイッチ２２＃１〜２２＃ｍのそれぞれに適用することができる。
【０１２８】
波長選択スイッチ２２＃１は、波長選択スイッチ６１＃１への光信号（Ａｄｄ）と、他の方路（＃２〜＃ｍ）へのｍ−１個の光信号（Ｔｈｒｏｕｇｈ）と、を出力する。同様に、波長選択スイッチ２２＃２〜２２＃ｍは、それぞれ波長選択スイッチ６１＃２〜６１＃ｍへの光信号（Ａｄｄ）と、他の方路へのｍ−１個の光信号（Ｔｈｒｏｕｇｈ）と、を出力する。波長選択スイッチ２２＃１〜２２＃ｍのそれぞれは、たとえば１×８の波長選択スイッチである。
【０１２９】
波長選択スイッチ６１＃１〜６１＃ｍ（ＷＳＳ）はそれぞれ方路＃１〜＃ｍに対応して設けられている。波長選択スイッチ６１＃１〜６１＃ｍには、それぞれ波長選択スイッチ２２＃１〜２２＃ｍからの光信号と、波長選択スイッチ６１＃１〜６１＃ｍのうちの他の方路の波長選択スイッチからの光信号と、が入力される。たとえば、波長選択スイッチ６１＃１には、波長選択スイッチ２２＃１からの光信号と、波長選択スイッチ６１＃２〜６１＃ｍからの光信号と、が入力される。
【０１３０】
波長選択スイッチ６１＃１〜６１＃ｍは、トランスポンダ２６の光信号と、波長選択スイッチ６１＃１〜６１＃ｍのうちの他の方路からの波長選択スイッチへの光信号と、を出力する。たとえば、波長選択スイッチ６１＃１は、トランスポンダ２６（ＴＲＰＮ：受信部）への光信号と、波長選択スイッチ６１＃２〜６１＃ｍへの光信号と、を出力する。波長選択スイッチ６１＃１〜６１＃ｍのそれぞれは、たとえば８×１６の波長選択スイッチである。
【０１３１】
このように、入力ポートおよび出力ポートをそれぞれ複数有する波長選択スイッチ６１＃１〜６１＃ｍを設け、波長選択スイッチ６１＃１〜６１＃ｍの出力ポートと入力ポートを相互に接続する。具体的には、波長選択スイッチ６１＃１〜６１＃ｍのそれぞれの複数の入力ポートには、自ノードからの分岐（Ｄｒｏｐ）のためのポートと、他の方路との接続ポートと、が含まれる。これにより、他の方路からの信号分配および合流が可能になる（Ｄｉｒｅｃｔｉｏｎｌｅｓｓ）。
【０１３２】
図１９に示した光挿入分岐装置４００によれば、構成が簡略化され、初期コストの低減が可能になる。また、ネットワーク側からクライアント側チャネルまでの通過デバイスが少なく、光損失を低減することができる。また、各光信号は通過帯域（Ｐａｓｓｂａｎｄ）について制限を持つデバイスを経由しないため、各光信号の伝送レートに対応して各波長選択スイッチの通過帯域を変更するＧｒｉｄｌｅｓｓ方式にも対応が可能である。
【０１３３】
また、図１９に示した光挿入分岐装置４００において、波長選択スイッチ６１＃１〜６１＃ｍと波長選択スイッチ２２＃１〜２２＃ｍとをそれぞれまとめてｍ個の波長選択スイッチとしてもよい。たとえば、波長選択スイッチ６１＃１と波長選択スイッチ２２＃１とをまとめて８×２４の波長選択スイッチとしてもよい。
【０１３４】
図２０は、図１８に示した光挿入分岐装置の変形例１を示す図である。図２０において、図１８に示した部分と同様の部分については同一の符号を付して説明を省略する。図２０に示す光挿入分岐装置４００は、クライアント側のチャネル数を１２０とした構成である。図２０に示す光挿入分岐装置４００は、図１８に示した構成に加えてカプラ５２＃１〜５２＃ｍを備えている。
【０１３５】
カプラ５２＃１〜５２＃ｍのそれぞれは、波長選択スイッチ５１＃１〜５１＃ｍへ入力される他の方路に向かう波長選択スイッチからの光信号を合波する。たとえば、カプラ５２＃１は、波長選択スイッチ５１＃１へ入力される波長選択スイッチ５１＃２〜５１＃ｍからの光信号を合波する。カプラ５２＃１〜５２＃ｍのそれぞれは、合波した光信号をそれぞれ波長選択スイッチ５１＃１〜５１＃ｍへ出力する。
【０１３６】
これにより、波長選択スイッチ５１＃１〜５１＃ｍのそれぞれの入力ポートに、たとえばさらにｍ−１−１個の空きができる。これにより、たとえばクライアント側のチャネル数をさらに増設することができる。
【０１３７】
図２１は、図１９に示した光挿入分岐装置の変形例１を示す図である。図２１において、図１９に示した部分と同様の部分については同一の符号を付して説明を省略する。図２１に示す光挿入分岐装置４００は、クライアント側のチャネル数を１２０とした構成である。図２１に示す光挿入分岐装置４００は、図１９に示した構成に加えてカプラ６２＃１〜６２＃ｍを備えている。
【０１３８】
波長選択スイッチ６１＃１〜６１＃ｍは、他の方路の波長選択スイッチへの光信号をまとめてそれぞれカプラ６２＃１〜６２＃ｍへ出力する。たとえば、波長選択スイッチ６１＃１は、他の方路の波長選択スイッチ６１＃２〜６１＃ｍへの光信号をまとめてカプラ６２＃１へ出力する。
【０１３９】
カプラ６２＃１〜６２＃ｍのそれぞれは、波長選択スイッチ６１＃１〜６１＃ｍから出力される他の方路の波長選択スイッチへの光信号を分岐するスプリッタである。たとえば、カプラ６２＃１は、波長選択スイッチ６１＃１から出力される波長選択スイッチ６１＃２〜６１＃ｍへの光信号を分岐する。カプラ６２＃１〜６２＃ｍのそれぞれは、分岐した光信号を波長選択スイッチ６１＃１〜６１＃ｍへ出力する。たとえば、カプラ６２＃１は、分岐した光信号を波長選択スイッチ６１＃２〜６１＃ｍへ出力する。
【０１４０】
これにより、波長選択スイッチ６１＃１〜６１＃ｍのそれぞれの出力ポートに、たとえばさらにｍ−１−１個の空きができる。これにより、たとえばクライアント側のチャネル数をさらに増設することができる。
【０１４１】
図２２は、図１８に示した光挿入分岐装置の変形例２を示す図である。図２２において、図２０に示した部分と同様の部分については同一の符号を付して説明を省略する。図２２に示す光挿入分岐装置４００は、図２０に示した構成に加えて波長選択スイッチ７１＃１〜７１＃ｍ（第３波長選択スイッチ）を備えている。図１−１または図１−２に示した光切替装置１００は、波長選択スイッチ７１＃１〜７１＃ｍのそれぞれに適用することもできる。
【０１４２】
波長選択スイッチ７１＃１〜７１＃ｍの出力ポートは、それぞれ波長選択スイッチ５１＃１〜５１＃ｍの入力ポートの一つに接続されている。また、波長選択スイッチ７１＃１〜７１＃ｍのそれぞれは複数の入力ポートを有する（たとえば１６個）。これにより、波長選択スイッチ７１＃１〜７１＃ｍのそれぞれの入力ポートに対してクライアント側のチャネル数をさらに増設することができる。また、波長選択スイッチ７１＃１〜７１＃ｍの数を増やすことで、クライアント側のチャネル数をさらに増設することもできる。
【０１４３】
図２３は、図１９に示した光挿入分岐装置の変形例２を示す図である。図２３において、図２１に示した部分と同様の部分については同一の符号を付して説明を省略する。図２３に示す光挿入分岐装置４００は、図２１に示した構成に加えて波長選択スイッチ８１＃１〜８１＃ｍ（第３波長選択スイッチ）を備えている。図２に示した光切替装置２００は、波長選択スイッチ８１＃１〜８１＃ｍのそれぞれに適用することもできる。
【０１４４】
波長選択スイッチ８１＃１〜８１＃ｍの入力ポートは、それぞれ波長選択スイッチ６１＃１〜６１＃ｍの出力ポートの一つに接続されている。また、波長選択スイッチ８１＃１〜８１＃ｍのそれぞれは複数の出力ポート（たとえば１６個）を有する。これにより、波長選択スイッチ８１＃１〜８１＃ｍのそれぞれの入力ポートに対してクライアント側のチャネル数をさらに増設することができる。また、波長選択スイッチ８１＃１〜８１＃ｍの数を増やすことで、クライアント側のチャネル数をさらに増設することもできる。
【０１４５】
図２４は、図１−１，図１−２に示した光切替装置を適用した光挿入分岐装置の例４を示す図である。図２４において、図４に示した部分と同様の部分については同一の符号を付して説明を省略する。
【０１４６】
図２４に示す光挿入分岐装置４００は、ｍ×Ｎ個のトランスポンダ１１＃１１〜１１＃ｍＮと、ｍ個の多重化部９１＃１〜９１＃ｍと、ｍ個のカプラ９２＃１〜９２＃ｍと、ｍ個の波長選択スイッチ９３＃１〜９３＃ｍと、ｍ個の波長選択スイッチ１５＃１〜１５＃ｍと、ｍ個の増幅器１６＃１〜１６＃ｍと、を備えている。図１−１または図１−２に示した光切替装置１００は、たとえば波長選択スイッチ１５＃１〜１５＃ｍのそれぞれに適用することができる。また、図１−１または図１−２に示した光切替装置１００は、波長選択スイッチ９３＃１〜９３＃ｍのそれぞれに適用してもよい。
【０１４７】
トランスポンダ１１＃１１〜１１＃ｍＮは光信号をそれぞれ多重化部９１＃１〜９１＃ｍへ出力する。たとえば、トランスポンダ１１＃１１〜１１＃１Ｎのそれぞれは、抽出した光信号を多重化部９１＃１へ出力する。多重化部９１＃１〜９１＃ｍは、それぞれトランスポンダ１１＃１１〜１１＃ｍＮから出力された光信号を多重化（波長多重）する。多重化部９１＃１〜９１＃ｍは、多重化した光信号をそれぞれカプラ９２＃１〜９２＃ｍへ出力する。
【０１４８】
カプラ９２＃１〜９２＃ｍは、それぞれ多重化部９１＃１〜９１＃ｍから出力された光信号をｍ個の光信号に分岐する１：ｍカプラ（スプリッタ）である。カプラ９２＃１〜９２＃ｍのそれぞれは、分岐したｍ個の光信号を波長選択スイッチ９３＃１〜９３＃ｍへ出力する。たとえば、カプラ９２＃１は、分岐したｍ個の光信号を波長選択スイッチ９３＃１〜９３＃ｍへ出力する。これにより、クライアント側からの各光信号が各方路の挿入分岐経路に分配される。
【０１４９】
波長選択スイッチ９３＃１〜９３＃ｍ（ＷＳＳ）は、カプラ９２＃１〜９２＃ｍから出力された光信号を波長ごとに選択してそれぞれ波長選択スイッチ１５＃１〜１５＃ｍへ出力するｍ：１の波長選択スイッチである。たとえば、波長選択スイッチ９３＃１は、カプラ９２＃１〜９２＃ｍから出力された光信号を波長ごとに選択して波長選択スイッチ１５＃１へ出力する。
【０１５０】
このように、多重化部９１＃１〜９１＃ｍ、カプラ９２＃１〜９２＃ｍ、波長選択スイッチ９３＃１〜９３＃ｍ，１５＃１〜１５＃ｍを相互に接続することにより、方路の依存性をなくすことができる（Ｄｉｒｅｃｔｉｏｎｌｅｓｓ）。また、多重化部９１＃１〜９１＃ｍ、カプラ９２＃１〜９２＃ｍ、波長選択スイッチ９３＃１〜９３＃ｍ，１５＃１〜１５＃ｍを増設することで、方路数を容易に増加させることができる。
【０１５１】
また、図２４に示した構成において、波長選択スイッチ９３＃１〜９３＃ｍ，１５＃１〜１５＃ｍをｍ個の波長選択スイッチによって実現してもよい。たとえば、波長選択スイッチ９３＃１および波長選択スイッチ１５＃１を一つの波長選択スイッチによって実現する。この場合は、各波長選択スイッチの入力ポートが多くなるが、図１−１または図１−２に示した光切替装置１００を適用することによって容易に入力ポートの数を確保することができる。
【０１５２】
図２５は、図２に示した光切替装置を適用した光挿入分岐装置の例４を示す図である。図２５において、図５に示した部分と同様の部分については同一の符号を付して説明を省略する。図２５に示す光挿入分岐装置４００は、クライアント側のチャネル数を７６８とした構成である。
【０１５３】
図２５に示す光挿入分岐装置４００は、ｍ個の増幅器２１＃１〜２１＃ｍと、ｍ個の波長選択スイッチ２２＃１〜２２＃ｍと、ｍ個の波長選択スイッチ１０１＃１〜１０１＃ｍと、ｍ個のカプラ１０２＃１〜１０２＃ｍと、ｍ個の多重分離部１０３＃１〜１０３＃ｍと、ｍ×Ｎ個のトランスポンダ２６＃１１〜２６＃ｍＮと、を備えている。図２に示した光切替装置２００は、たとえば波長選択スイッチ２２＃１〜２２＃ｍのそれぞれに適用することができる。また、図２に示した光切替装置２００は、波長選択スイッチ１０１＃１〜１０１＃ｍのそれぞれに適用してもよい。
【０１５４】
波長選択スイッチ１０１＃１〜１０１＃ｍ（ＷＳＳ）は、それぞれ波長選択スイッチ２２＃１〜２２＃ｍからの光信号の経路を波長ごとに切り替えてカプラ１０２＃１〜１０２＃ｍへ出力する１：８の波長選択スイッチである。たとえば、波長選択スイッチ１０１＃１は、波長選択スイッチ２２＃１からの光信号の経路を波長ごとに切り替えてカプラ１０２＃１〜１０２＃ｍへ出力する。
【０１５５】
カプラ１０２＃１〜１０２＃ｍは、それぞれ波長選択スイッチ１０１＃１〜１０１＃ｍから出力された光信号を合波してそれぞれ多重分離部１０３＃１〜１０３＃ｍへ出力する。たとえば、カプラ１０２＃１は、それぞれ波長選択スイッチ１０１＃１〜１０１＃ｍから出力された光信号を合波して多重分離部１０３＃１へ出力する。これにより、各方路からの光信号が合波される。
【０１５６】
多重分離部１０３＃１〜１０３＃ｍは、それぞれカプラ１０２＃１〜１０２＃ｍから出力された光信号を多重分離（波長多重分離）する。多重分離部１０３＃１〜１０３＃ｍは、多重分離した光信号をそれぞれトランスポンダ２６＃１１〜２６＃ｍＮへ出力する。たとえば、多重分離部１０３＃１は、多重分離した光信号をトランスポンダ２６＃１１〜２６＃１Ｎへ出力する。
【０１５７】
このように、多重分離部１０３＃１〜１０３＃ｍ、カプラ１０２＃１〜１０２＃ｍ、波長選択スイッチ１０１＃１〜１０１＃ｍ，２２＃１〜２２＃ｍを相互に接続することにより、方路の依存性をなくすことができる（Ｄｉｒｅｃｔｉｏｎｌｅｓｓ）。また、多重分離部１０３＃１〜１０３＃ｍ、カプラ１０２＃１〜１０２＃ｍ、波長選択スイッチ１０１＃１〜１０１＃ｍ，２２＃１〜２２＃ｍを増設することで、方路数を容易に増加させることができる。
【０１５８】
また、図２５に示した構成において、波長選択スイッチ１０１＃１〜１０１＃ｍ，２２＃１〜２２＃ｍをｍ個の波長選択スイッチによって実現してもよい。たとえば、波長選択スイッチ１０１＃１および波長選択スイッチ２２＃１を一つの波長選択スイッチによって実現する。この場合は、各波長選択スイッチの出力ポートが多くなるが、図２に示した光切替装置２００を適用することによって容易に出力ポートの数を確保することができる。
【０１５９】
図２６は、図１−１，図１−２に示した光切替装置を適用した光挿入分岐装置の例５を示す図である。図２６において、図２４に示した部分と同様の部分については同一の符号を付して説明を省略する。図２６に示す光挿入分岐装置４００は、クライアント側のチャネル数を７６８とした構成である。
【０１６０】
図２６に示す光挿入分岐装置４００は、図２４に示したカプラ９２＃１〜９２＃ｍおよび波長選択スイッチ９３＃１〜９３＃ｍに代えて波長選択スイッチ９４＃１〜９４＃ｍを備えている。図１−１または図１−２に示した光切替装置１００は、たとえば波長選択スイッチ１５＃１〜１５＃ｍのそれぞれに適用することができる。
【０１６１】
波長選択スイッチ９４＃１〜９４＃ｍには、それぞれ多重化部９１＃１〜９１＃ｍから出力された光信号と、波長選択スイッチ９４＃１〜９４＃ｍのうちの他の方路の波長選択スイッチからの光信号と、が入力される。たとえば、波長選択スイッチ９４＃１には、多重化部９１＃１から出力された光信号と、波長選択スイッチ９４＃２〜９４＃ｍからの光信号と、が入力される。
【０１６２】
波長選択スイッチ９４＃１〜９４＃ｍのそれぞれは、入力された各光信号の経路を波長ごとに切り替える。波長選択スイッチ９４＃１〜９４＃ｍは、経路を切り替えた各光信号を、それぞれ波長選択スイッチ１５＃１〜１５＃ｍと、波長選択スイッチ９４＃１〜９４＃ｍのうちの他の方路の波長選択スイッチと、へそれぞれ出力する。たとえば、波長選択スイッチ９４＃１は、経路を切り替えた各光信号を、波長選択スイッチ１５＃１と、波長選択スイッチ９４＃２〜９４＃ｍと、へそれぞれ出力する。波長選択スイッチ９４＃１〜９４＃ｍのそれぞれは、たとえば８×８の波長選択スイッチである。
【０１６３】
波長選択スイッチ１５＃１には、波長選択スイッチ９４＃１からの光信号（Ａｄｄ）と、他の方路（＃２〜＃ｍ）からのｍ−１個の光信号（Ｔｈｒｏｕｇｈ）と、が入力される。同様に、波長選択スイッチ１５＃２〜１５＃ｍには、それぞれ波長選択スイッチ９４＃２〜９４＃ｍからの光信号（Ａｄｄ）と、他の方路からのｍ−１個の光信号（Ｔｈｒｏｕｇｈ）と、が入力される。
【０１６４】
このように、入力ポートおよび出力ポートをそれぞれ複数有する波長選択スイッチ９４＃１〜９４＃ｍを設け、波長選択スイッチ９４＃１〜９４＃ｍの出力ポートと入力ポートを相互に接続する。具体的には、波長選択スイッチ９４＃１〜９４＃ｍのそれぞれの複数の入力ポートには、自ノードの挿入（Ａｄｄ）のためのポートと、他の方路との接続ポートと、が含まれる。これにより、他の方路への信号分配および合流が可能になる（Ｄｉｒｅｃｔｉｏｎｌｅｓｓ）。また、図２６に示した構成によれば、挿入分岐経路の光損失を低減し、部品点数の削減が可能になる。
【０１６５】
図２７は、図２に示した光切替装置を適用した光挿入分岐装置の例５を示す図である。図２７において、図２５に示した部分と同様の部分については同一の符号を付して説明を省略する。図２７に示す光挿入分岐装置４００は、図２５に示した波長選択スイッチ１０１＃１〜１０１＃ｍおよびカプラ１０２＃１〜１０２＃ｍに代えて波長選択スイッチ１０４＃１〜１０４＃ｍを備えている。図２に示した光切替装置２００は、たとえば波長選択スイッチ２２＃１〜２２＃ｍのそれぞれに適用することができる。
【０１６６】
波長選択スイッチ１０４＃１〜１０４＃ｍには、それぞれ波長選択スイッチ２２＃１〜２２＃ｍからの光信号と、波長選択スイッチ１０４＃１〜１０４＃ｍのうちの他の方路の波長選択スイッチからの光信号と、が入力される。たとえば、波長選択スイッチ１０４＃１には、波長選択スイッチ２２＃１からの光信号と、波長選択スイッチ１０４＃２〜１０４＃ｍからの光信号と、が入力される。
【０１６７】
波長選択スイッチ１０４＃１〜１０４＃ｍは、それぞれ多重分離部１０３＃１〜１０３＃ｍへの光信号と、波長選択スイッチ１０４＃１〜１０４＃ｍのうちの他の方路の波長選択スイッチへの光信号と、を出力する。たとえば、波長選択スイッチ１０４＃１は、多重分離部１０３＃１への光信号と、波長選択スイッチ１０４＃２〜１０４＃ｍへの光信号と、を出力する。波長選択スイッチ１０４＃１〜１０４＃ｍのそれぞれは、たとえば８×８の波長選択スイッチである。多重分離部１０３＃１〜１０３＃ｍは、それぞれ波長選択スイッチ１０４＃１〜１０４＃ｍから出力された光信号を多重分離する。
【０１６８】
このように、入力ポートおよび出力ポートをそれぞれ複数有する波長選択スイッチ１０４＃１〜１０４＃ｍを設け、波長選択スイッチ１０４＃１〜１０４＃ｍの出力ポートと入力ポートを相互に接続する。具体的には、波長選択スイッチ１０４＃１〜１０４＃ｍのそれぞれの複数の入力ポートには、自ノードからの分岐（Ｄｒｏｐ）のためのポートと、他の方路との接続ポートと、が含まれる。これにより、他の方路からの信号分配および合流が可能になる（Ｄｉｒｅｃｔｉｏｎｌｅｓｓ）。また、図２７に示した構成によれば、挿入分岐経路の光損失を低減し、部品点数の削減が可能になる。
【０１６９】
以上説明したように、光切替装置、光挿入装置および光分岐装置によれば、複数の波長選択スイッチのそれぞれの第１ポートに光カプラの複数の第３ポートを接続することで、ポート数が多い波長選択スイッチを提供することができる。
【０１７０】
上述した実施の形態に関し、さらに以下の付記を開示する。
【０１７１】
（付記１）第１ポートおよび複数の第２ポートを有する複数の波長選択スイッチと、
前記複数の波長選択スイッチの前記第１ポートがそれぞれ接続される入力側または出力側の複数の第３ポートを有する光カプラと、
を備えることを特徴とする光切替装置。
【０１７２】
（付記２）前記第１ポートは前記波長選択スイッチの出力ポートであり、
前記複数の第２ポートは前記波長選択スイッチの複数の入力ポートであり、
前記複数の第３ポートは前記光カプラの入力側のポートであり、
前記光カプラは、前記複数の波長選択スイッチのそれぞれの前記出力ポートから出力される複数の光信号を合波することを特徴とする付記１に記載の光切替装置。
【０１７３】
（付記３）前記第１ポートは前記波長選択スイッチの入力ポートであり、
前記複数の第２ポートは前記波長選択スイッチの複数の出力ポートであり、
前記複数の第３ポートは前記光カプラの出力側のポートであり、
前記光カプラは、光信号を分岐し、分岐した複数の前記光信号を前記複数の波長選択スイッチのそれぞれの前記入力ポートへ入力することを特徴とする付記１に記載の光切替装置。
【０１７４】
（付記４）前記複数の光信号に含まれる波長をそれぞれモニタする波長モニタと、
前記波長モニタによるモニタ結果に基づいて、前記複数の光信号のうちの同一の波長を含む各光信号を検出する検出部と、
前記検出部による検出結果を出力する出力部と、
を備えることを特徴とする付記２に記載の光切替装置。
【０１７５】
（付記５）前記検出部によって前記各光信号が検出された場合に、前記複数の波長選択スイッチのうちの前記各光信号を出力した各波長選択スイッチのいずれかに対して前記同一の波長の光信号の出力を停止させる制御部と、
を備えることを特徴とする付記４に記載の光切替装置。
【０１７６】
（付記６）前記複数の波長選択スイッチのそれぞれの優先度を記憶する記憶部を備え、
前記制御部は、前記各波長選択スイッチのうちの、前記記憶部によって記憶された優先度がより低い波長選択スイッチに対して前記同一の波長の光信号の出力を停止させることを特徴とする付記５に記載の光切替装置。
【０１７７】
（付記７）前記各光信号のそれぞれの優先度を記憶する記憶部を備え、
前記制御部は、前記各波長選択スイッチのうちの、前記記憶部によって記憶された優先度がより低い光信号を出力する波長選択スイッチに対して前記同一の波長の光信号の出力を停止させることを特徴とする付記５に記載の光切替装置。
【０１７８】
（付記８）前記光カプラは、前記複数の波長選択スイッチより多い前記複数の第３ポートを有することを特徴とする付記１〜７のいずれか一つに記載の光切替装置。
【０１７９】
（付記９）付記２に記載の光切替装置であって、前記光カプラによって合波された光信号をそれぞれネットワークの複数の方路へ送出する複数の光切替装置と、
光信号を出力する複数の送信部と、
前記複数の送信部によって出力された各光信号をそれぞれ前記複数の光切替装置の前記入力ポートへ入力する光経路と、
を備えることを特徴とする光挿入装置。
【０１８０】
（付記１０）前記光経路は、
前記複数の送信部によって出力された各光信号がそれぞれ入力される複数の入力ポートと、複数の出力ポートと、を備えるクロスコネクトスイッチと、
前記クロスコネクトスイッチの前記複数の出力ポートにそれぞれ接続された入力ポートと、複数の出力ポートと、を有する複数の第１スイッチと、
前記複数の第１スイッチの前記複数の出力ポートにそれぞれ接続された入力ポートと、出力ポートと、を有する複数の第２スイッチと、
前記複数の第２スイッチの前記出力ポートから出力される各光信号を多重化し、多重化した光信号を前記複数の光切替装置の前記入力ポートへ入力する複数の多重化部と、
を含むことを特徴とする付記９に記載の光挿入装置。
【０１８１】
（付記１１）前記光経路は、
前記複数の送信部によって出力された各光信号がそれぞれ入力される複数の入力ポートと、複数の出力ポートと、を備えるクロスコネクトスイッチと、
前記クロスコネクトスイッチの前記複数の出力ポートにそれぞれ接続された入力ポートと、複数の出力ポートと、を有する複数のスイッチと、
前記複数のスイッチの前記複数の出力ポートにそれぞれ接続された入力ポートと、出力ポートと、を有する複数の第２カプラと、
前記複数の第２カプラの前記出力ポートから出力される各光信号を多重化し、多重化した光信号を前記複数の光切替装置の前記入力ポートへ入力する複数の多重化部と、
を含むことを特徴とする付記９に記載の光挿入装置。
【０１８２】
（付記１２）前記光経路は、
前記複数の送信部によって出力された各光信号がそれぞれ入力される複数の入力ポートと、複数の出力ポートと、を備えるクロスコネクトスイッチと、
前記クロスコネクトスイッチの前記複数の出力ポートにそれぞれ接続された入力ポートと、複数の出力ポートと、を有する複数の第２カプラと、
前記複数の第２カプラの前記複数の出力ポートにそれぞれ接続された入力ポートと、出力ポートと、を有する複数のスイッチと、
前記複数のスイッチの前記出力ポートから出力される各光信号を多重化し、多重化した光信号を前記複数の光切替装置の前記入力ポートへ入力する複数の多重化部と、
を含むことを特徴とする付記９に記載の光挿入装置。
【０１８３】
（付記１３）前記光経路は、
入力ポートと出力ポートとが相互に接続され、前記複数の送信部によって出力された各光信号がそれぞれ入力される複数の入力ポートと、前記複数の光切替装置の前記入力ポートに接続される出力ポートと、を有する複数の第２波長選択スイッチを含むことを特徴とする付記９に記載の光挿入装置。
【０１８４】
（付記１４）前記複数の第２波長選択スイッチのそれぞれの前記入力ポートに接続された複数のカプラであって、接続された前記第２波長選択スイッチの前記入力ポートへ、他の前記第２波長選択スイッチの前記出力ポートから出力された各光信号を合波した光信号を入力する複数のカプラを備えることを特徴とする付記１３に記載の光挿入装置。
【０１８５】
（付記１５）前記光経路は、
前記複数の第２波長選択スイッチの前記入力ポートに接続される出力ポートと、前記複数の送信部によって出力された各光信号がそれぞれ入力される複数の入力ポートと、を有する第３波長選択スイッチを含むことを特徴とする付記１３または１４に記載の光挿入装置。
【０１８６】
（付記１６）前記光経路は、
前記複数の送信部によって出力された各光信号を多重化する複数の多重化部と、
前記複数の多重化部によって多重化された各光信号を分岐する複数の第２カプラと、
前記第２カプラによって分岐された各光信号が入力される複数の入力ポートと、前記複数の光切替装置の前記入力ポートに接続された出力ポートと、を有する複数の第２波長選択スイッチと、
を含むことを特徴とする付記９に記載の光挿入装置。
【０１８７】
（付記１７）前記光経路は、
前記複数の送信部によって出力された各光信号を多重化する複数の多重化部と、
入力ポートと出力ポートとが相互に接続され、前記複数の多重化部によって多重化された各光信号が入力される複数の入力ポートと、前記複数の光切替装置の前記入力ポートに接続された出力ポートと、を有する複数の第２波長選択スイッチと、
を含むことを特徴とする付記９に記載の光挿入装置。
【０１８８】
（付記１８）付記３に記載の光切替装置であって、ネットワークの複数の方路からの光信号がそれぞれ前記光カプラへ入力される複数の光切替装置と、
光信号を受信する複数の受信部と、
前記複数の波長選択スイッチの前記複数の出力ポートから出力される各光信号を、それぞれ前記複数の受信部へ出力する光経路と、
を備えることを特徴とする光分岐装置。
【０１８９】
（付記１９）前記光経路は、
前記複数の光切替装置から出力される各光信号をそれぞれ多重分離する複数の多重分離部と、
前記複数の多重分離部によって多重分離された各光信号がそれぞれ入力される入力ポートと、複数の出力ポートと、を有する複数の第１スイッチと、
前記複数の第１スイッチの前記複数の出力ポートにそれぞれに接続された複数の入力ポートと、出力ポートと、を有する複数の第２スイッチと、
前記複数の第２スイッチの前記出力ポートに接続された複数の入力ポートと、前記複数の受信部へ光信号を出力する複数の出力ポートと、を備えるクロスコネクトスイッチと、
を含むことを特徴とする付記１８に記載の光分岐装置。
【０１９０】
（付記２０）前記光経路は、
前記複数の光切替装置から出力される各光信号をそれぞれ多重分離する複数の多重分離部と、
前記多重分離部によって多重分離された各光信号がそれぞれ入力される入力ポートと、複数の出力ポートと、を有する複数の第２カプラと、
前記複数の第２カプラの前記複数の出力ポートにそれぞれに接続された複数の入力ポートと、出力ポートと、を有する複数のスイッチと、
前記複数のスイッチの前記出力ポートに接続された複数の入力ポートと、前記複数の受信部へ光信号を出力する複数の出力ポートと、を備えるクロスコネクトスイッチと、
を含むことを特徴とする付記１８に記載の光分岐装置。
【０１９１】
（付記２１）前記光経路は、
前記複数の光切替装置から出力される各光信号をそれぞれ多重分離する複数の多重分離部と、
前記多重分離部によって多重分離された各光信号がそれぞれ入力される入力ポートと、複数の出力ポートと、を有する複数のスイッチと、
前記複数のスイッチの前記複数の出力ポートにそれぞれに接続された複数の入力ポートと、出力ポートと、を有する複数の第２カプラと、
前記複数の第２カプラの前記出力ポートに接続された複数の入力ポートと、前記複数の受信部へ光信号を出力する複数の出力ポートと、を備えるクロスコネクトスイッチと、
を含むことを特徴とする付記１８に記載の光分岐装置。
【０１９２】
（付記２２）前記光経路は、
入力ポートと出力ポートとが相互に接続され、前記複数の光切替装置の前記出力ポートに接続される入力ポートと、前記複数の受信部へ光信号を出力する複数の出力ポートと、を有する複数の第２波長選択スイッチを含むことを特徴とする付記１８に記載の光分岐装置。
【０１９３】
（付記２３）前記複数の第２波長選択スイッチのそれぞれの前記出力ポートに接続された複数のカプラであって、接続された前記第２波長選択スイッチから出力された光信号を分岐して他の前記第２波長選択スイッチの前記入力ポートへ入力する複数のカプラを備えることを特徴とする付記２２に記載の光分岐装置。
【０１９４】
（付記２４）前記光経路は、
前記複数の第２波長選択スイッチの前記出力ポートに接続される入力ポートと、前記複数の受信部へ光信号を出力する複数の出力ポートと、を有する複数の第３波長選択スイッチを含むことを特徴とする付記２２または２３に記載の光分岐装置。
【０１９５】
（付記２５）前記光経路は、
前記複数の光切替装置の前記出力ポートに接続された入力ポートと、複数の出力ポートと、を有する複数の第２波長選択スイッチと、
前記複数の第２波長選択スイッチの前記複数の出力ポートから出力された各光信号を合波する複数の第２カプラと、
前記複数の第２カプラによって合波された各光信号を多重分離し、多重分離した各光信号を前記複数の受信部へ出力する複数の多重分離部と、
を含むことを特徴とする付記１８に記載の光分岐装置。
【０１９６】
（付記２６）前記光経路は、
入力ポートと出力ポートとが相互に接続され、前記複数の光切替装置の前記出力ポートに接続された入力ポートと、複数の出力ポートと、を有する複数の第２波長選択スイッチと、
前記複数の第２波長選択スイッチの前記複数の出力ポートから出力された各光信号を多重分離し、多重分離した各光信号を前記複数の受信部へ出力する複数の多重分離部と、
を含むことを特徴とする付記１８に記載の光分岐装置。
【符号の説明】
【０１９７】
１６＃１〜１６＃ｍ，２１＃１〜２１＃ｍ  増幅器
１２０，２１０  光カプラ
１３１〜１３Ｍ  分岐部
１１，２６  トランスポンダ
１２，２５  可変フィルタ
１３，２４，３１＃１〜３１＃ｍ，４４＃１〜４４＃ｍ  クロスコネクトスイッチ
１４，２３，３５＃１１〜３５＃Ｎｍ，４５＃１１〜４５＃Ｎｍ，３６＃１１〜３６＃Ｎｍ，４６＃１１〜４６＃Ｎｍ，５２＃１〜５２＃ｍ，６２＃１〜６２＃ｍ，９２＃１〜９２＃ｍ，１０２＃１〜１０２＃ｍ  カプラ
１１１〜１１Ｍ，２２１〜２２Ｍ，１５＃１〜１５＃ｍ，２２＃１〜２２＃ｍ，５１＃１〜５１＃ｍ，６１＃１〜６１＃ｍ，７１＃１〜７１＃ｍ，８１＃１〜８１＃ｍ，９３＃１〜９３＃ｍ，１０１＃１〜１０１＃ｍ，９４＃１〜９４＃ｍ，１０４＃１〜１０４＃ｍ  波長選択スイッチ
３２＃１１〜３２＃Ｎｍ，３３＃１１〜３３＃Ｎｍ，４２＃１１〜４２＃Ｎｍ，４３＃１１〜４３＃Ｎｍ  スイッチ
３４＃１〜３４＃ｍ，９１＃１〜９１＃ｍ  多重化部
４１＃１〜４１＃ｍ，１０３＃１〜１０３＃ｍ  多重分離部
【図１−１】
0005682256.tif 000002
【図１−２】
0005682256.tif 000003
【図２】
0005682256.tif 000004
【図３】
0005682256.tif 000005
【図４】
0005682256.tif 000006
【図５】
0005682256.tif 000007
【図６】
0005682256.tif 000008
【図７】
0005682256.tif 000009
【図８】
0005682256.tif 000010
【図９】
0005682256.tif 000011
【図１０】
0005682256.tif 000012
【図１１】
0005682256.tif 000013
【図１２】
0005682256.tif 000014
【図１３】
0005682256.tif 000015
【図１４】
0005682256.tif 000016
【図１５】
0005682256.tif 000017
【図１６】
0005682256.tif 000018
【図１７】
0005682256.tif 000019
【図１８】
0005682256.tif 000020
【図１９】
0005682256.tif 000021
【図２０】
0005682256.tif 000022
【図２１】
0005682256.tif 000023
【図２２】
0005682256.tif 000024
【図２３】
0005682256.tif 000025
【図２４】
0005682256.tif 000026
【図２５】
0005682256.tif 000027
【図２６】
0005682256.tif 000028
【図２７】
0005682256.tif 000029